(57)【特許請求の範囲】
【請求項１】
投影又は逆投影スクリーンとして使用される２つの主要外面（１０、２０）を含むグレージング（５）の面の一方に、見物人に見える画像をプロジェクタで投影することを含む、投影又は逆投影方法であって、
前記グレージングが、２つの滑らかな主要外面（２Ａ、４Ａ）を有する透明層状素子（１）を備え、前記透明層状素子（１）が、
おのおのが前記透明層状素子の２つの滑らかな主要外面（２Ａ、４Ａ）を形成し且つ透明材料から構成される、実質的に同じ屈折率（ｎ２、ｎ４）を有する２つの外層（２、４）と、
（ａ）前記２つの外層の屈折率とは異なる屈折率（ｎ３）を有する透明層、若しくは金属層である単層によって、又は（ｂ）少なくとも１つの、前記２つの外層の屈折率とは異なる屈折率（ｎ３1、ｎ３2、・・・又はｎ３k）を有する透明層、若しくは金属層を備える積層体（３1、３2、・・・３k）によって形成される、前記２つの外層の間に挿入される中心層（３）とを備え、
一方が透明で屈折率（ｎ２、ｎ４、ｎ３、ｎ３1、ｎ３2、・・・又はｎ３k）を有し且つもう一方が金属であるか、又は両方が異なる屈折率を有する透明層である、前記層状素子の２つの隣接する層の間の各接触面（Ｓ0、Ｓ1、・・・Ｓk）が、テクスチャ加工され、並びに前記各接触面が、一方が透明で屈折率（ｎ２、ｎ４、ｎ３、ｎ３1、ｎ３2、・・・又はｎ３k）を有し且つもう一方が金属であるか、又は両方が異なる屈折率を有する透明層である、２つの隣接する層の間の他のテクスチャ加工接触面に平行であり、
かつ前記グレージングが、透明状態と散乱状態との間で切り替え可能な機能性フィルムを備える可変光散乱系をさらに備えることを特徴とする、
投影又は逆投影方法。
【請求項２】
前記２つの外層が誘電体から構成され、前記中心層を形成する透明層が誘電体層である、請求項１に記載の投影又は逆投影方法。
【請求項３】
前記グレージングが、少なくとも１つの反射防止コーティングをさらに備えることを特徴とする、請求項１又は２に記載の投影又は逆投影方法。
【請求項４】
前記グレージングが、前記プロジェクタとは反対側の、空気と前記グレージングの主要外面を形成する層の構成材料との間の界面に、前記少なくとも１つの反射防止コーティングを備えることを特徴とする、請求項３に記載の投影又は逆投影方法。
【請求項５】
前記可変光散乱系が電気的に制御可能であり且つ２つの電極担持支持体に囲まれた機能性フィルムを備えており、前記電極が前記機能性フィルムと直接接触していることを特徴とする、請求項１〜３のいずれか一項に記載の投影又は逆投影方法。
【請求項６】
前記透明層状素子が前記可変光散乱系の電極担持支持体の１つを構成し、下側の前記外層が支持体の役割を果たし、前記中心層及び上側の前記外層から構成されるアセンブリが電極の役割を果たすことを特徴とする、請求項５に記載の投影又は逆投影方法。
【請求項７】
前記可変光散乱系が、前記グレージングの主要外面（１０、２０）の一部だけに面して形成されることを特徴とする、請求項１〜６のいずれか一項に記載の投影又は逆投影方法。
【請求項８】
前記層状素子が、前記グレージングの主要外面（１０、２０）の一部だけに面して形成されることを特徴とする、請求項１〜７のいずれか一項に記載の投影又は逆投影方法。
【請求項９】
前記層状素子が可撓性フィルムであることを特徴とする、請求項１〜８のいずれか一項に記載の投影又は逆投影方法。
【請求項１０】
前記グレージングが、前記層状素子の上又は下に位置決めされた少なくとも１つの追加層をさらに備えることを特徴とする、請求項１〜９のいずれか一項に記載の投影又は逆投影方法。
【請求項１１】
前記グレージングが、前記可変光散乱系の上又は下に位置決めされた少なくとも１つの追加層をさらに備えることを特徴とする、請求項１〜１０のいずれか一項に記載の投影又は逆投影方法。
【請求項１２】
前記追加層が、
ポリマー、ガラス又はセラミックから選択される、２つの滑らかな主要面を備える透明基板、
成形操作に適した最初は液体又はペースト状粘性状態の硬化性材料、
熱可塑性若しくは熱硬化性ポリマー又は感圧プラスチックから形成されるインサート、
から選択されることを特徴とする、請求項１０又は１１に記載の投影又は逆投影方法。
【請求項１３】
前記グレージングが、
熱可塑性若しくは熱硬化性ポリマー又は感圧プラスチックから形成されるインサートと、
板ガラスから形成される透明基板、
とを備え、
前記層状素子の前記２つの外層のうちの一方は粗ガラスから形成される透明基板から選択される下側の外層であり、他方は成形操作に適した最初は液体又はペースト状粘性状態の硬化性材料から選択される上側の外層である、
ことを特徴とする、請求項１〜９のいずれか一項に記載の投影又は逆投影方法。
【請求項１４】
前記中心層が薄層を備えており、前記上側の外層がゾル−ゲル層である、請求項１３に記載の投影又は逆投影方法。
【請求項１５】
前記グレージングが、
熱可塑性若しくは熱硬化性ポリマー又は感圧プラスチックから形成される第１のインサートと、
熱可塑性若しくは熱硬化性ポリマー又は感圧プラスチックから形成される第２のインサートと、
板ガラスから形成される透明基板、
とを備えることを特徴とする、請求項５〜９のいずれか一項に記載の投影又は逆投影方法。
【請求項１６】
前記透明基板が前記少なくとも１つの反射防止コーティングを備える、請求項１３又は１５に記載の投影又は逆投影方法。
【請求項１７】
前記グレージングが反射で動作する投影スクリーンとして使用され、すなわち前記見物人及び前記プロジェクタが投影スクリーンとして使用されるグレージングと同じ側に位置することを特徴とする、請求項１〜１６のいずれか一項に記載の投影方法。
【請求項１８】
２つの主要外面（１０、２０）を備えるグレージングであって、
２つの滑らかな主要外面（２Ａ、４Ａ）を有する少なくとも１つの透明層状素子（１）と、
透明状態と散乱状態との間で切り替え可能な機能性フィルムを備える少なくとも１つの可変散乱系とを備え、
前記透明層状素子（１）が、
おのおのが前記層状素子の２つの滑らかな主要外面（２Ａ、４Ａ）を形成し且つ透明材料から構成される、実質的に同じ屈折率（ｎ２、ｎ４）を有する２つの外層（２、４）と、
（ａ）前記２つの外層の屈折率とは異なる屈折率（ｎ３）を有する透明層、若しくは金属層である単層によって、又は（ｂ）少なくとも１つの、前記外層の屈折率とは異なる屈折率（ｎ３1、ｎ３2、・・・又はｎ３k）を有する透明層、若しくは金属層を備える積層体（３1、３2、・・・３k）によって形成される、前記２つの外層の間に挿入される中心層（３）とを備え、
一方が透明で屈折率（ｎ１、ｎ２、ｎ３、ｎ３1、ｎ３2、・・・又はｎ３k）を有し且つもう一方が金属であるか、又は両方が異なる屈折率を有する透明層である、前記層状素子の２つの隣接する層の間の各接触面（Ｓ0、Ｓ1、・・・Ｓk）がテクスチャ加工され、並びに前記各接触面が、一方が透明で屈折率（ｎ１、ｎ２、ｎ３、ｎ３1、ｎ３2、・・・又はｎ３k）を有し且つもう一方が金属であるか、又は両方が異なる屈折率を有する透明層である、２つの隣接する層の間の他のテクスチャ加工接触面に平行である、
ことを特徴とするグレージング。
【請求項１９】
前記２つの外層が誘電体から構成され、前記中心層を形成する透明層が誘電体層であり、前記少なくとも１つの可変散乱系が電気的に制御可能である、請求項１８に記載のグレージング。
【請求項２０】
層状素子と、
熱可塑性若しくは熱硬化性ポリマー又は感圧プラスチックから形成されるインサートと、
２つの電極担持支持体に囲まれた機能性フィルムを備える可変光散乱系であって、前記電極が前記機能性フィルムと直接接触している、可変光散乱系と、
熱可塑性若しくは熱硬化性ポリマー又は感圧プラスチックから形成されるインサートと、
板ガラスから形成される透明基板、
とを備えることを特徴とする、請求項１８又は１９に記載のグレージング。
【請求項２１】
前記透明基板が少なくとも１つの反射防止コーティングを備える、請求項２０に記載のグレージング。
【発明の詳細な説明】
【技術分野】
【０００１】
本発明は、拡散反射特性を有する透明層状素子を備えるグレージングを投影又は逆投影スクリーンとして使用する投影又は逆投影方法に関する。本発明は、本発明の投影又は逆投影方法に特に適したグレージングにも関する。
【背景技術】
【０００２】
公知のグレージングには、グレージング上で入射放射線の正透過及び反射が起きる標準的な透明グレージングと、グレージング上で入射放射線の拡散透過及び反射が起きる半透明グレージングが含まれる。
【０００３】
通常、グレージング上の所定の入射角の入射放射線がグレージングによって複数の方向に反射される場合、グレージングによる反射は拡散反射と呼ばれる。グレージング上の所定の入射角の入射放射線が入射角と等しい反射角でグレージングによって反射される場合、グレージングによる反射は正反射と呼ばれる。同様に、グレージング上の所定の入射角の入射放射線が入射角と等しい透過角でグレージングを透過する場合、グレージングを通る透過は正透過と呼ばれる。
【０００４】
標準的な透明又は半透明グレージングに、投影又は逆投影スクリーンとして使用できるように追加の特性を付与しようと数多くの試みがなされてきた。
【０００５】
投影スクリーンは２つの面又は表面を備える。光源からの画像が投影される、光源と同じ空間領域に位置する正面と（直接投影）、正面に投影された画像が透明性により任意で出現する反対面である。
【０００６】
逆投影スクリーンは、上述の投影スクリーンのものと同じ特徴を有する正面及び反対面を有する。他方で、逆投影スクリーンは、ユーザと光源が同じ空間領域に位置せずスクリーンの両側に在る点で投影スクリーンとは異なる。逆投影では必ずプロジェクタをグレージングの背後に位置決めし、したがってチャンバをこの位置に用意する。したがって、この構成は、その使用のために必要とする部屋において制約が多いものとなる。
【０００７】
投影スクリーンとしての透明標準グレージングの使用は考えられない。これはこれらのグレージングが拡散反射特性を示さず、したがってその面のどれであっても結像したり、鏡のように鮮明な反射像を返したりすることができないからである。
【０００８】
投影スクリーンとしての半透明標準グレージングの使用にも不利な点がある。これらの半透明グレージングでは、グレージングを通したくっきりとした視界を保持することができない。
【０００９】
投影スクリーンとして使用する標準半透明グレージングの性能を改善するために提案される解決策の１つは、透明状態と散乱状態との間で切り替え可能なグレージングを使用することを含む。これらのグレージングは、２つの電極担持支持体の間に置かれた能動素子を備える機能性フィルムの使用をベースとしている。フィルムが電圧下にある場合、能動素子は優先軸線に沿って配向されるため、機能性フィルムを通して見えるようになる。電圧下にないと、能動素子は整列せず、フィルムは散乱性となり、見えなくなる。
【００１０】
現在、このようなグレージングは主に、散乱状態で画像を逆投影するためのスクリーンとして使用されているが、これはその特性から投影スクリーンとして適切には使用できないからである。これは切り替え型のグレージング、例えば液晶グレージング上に直接画像を投影すると、これらのグレージングの光学特性は不適であることから（例えば、低拡散反射）投影の質が月並みなものになるからである。しかしながら、特に、これらのグレージングに投影される画像の明るさは概して、観測角が増大すると大きく低下する。たとえ散乱状態にあっても、投影における画角は大きく低下し、そのようなグレージングの投影スクリーンとしての使用は困難となる。
【００１１】
特に欧州特許第０８２３６５３号明細書において提供される別の解決策は、可変光透過／吸収系と可変光散乱系とを組み合わせたグレージングから成る。このグレージングは、逆投影又は投影スクリーンとして使用し得る。しかしながら、これらの系が逆投影では比較的満足のいくものであるものの、投影において正確に機能しないことがはっきりと述べられている。反射による画像投影の質は月並みなものであり、ここでもまた明るさは低く、画角は小さい。そして、画像投影は散乱状態だけで可能である。透明状態において、直接投影は不可能である。
【００１２】
投影及び逆投影スクリーンとして使用される、スクリーン印刷されたグレージングも公知である。しかしながら、そのようなグレージングは充分な透明度を示さない。これらのグレージングのスクリーン印刷パターンは常に可視である。
【００１３】
そして、グレージングの透明度を維持つつ、ある角度から画像を逆投影で投影可能な「ホログラフィック」投影グレージングが公知である。しかしながら、これらのグレージングは逆投影に限定されることから、プロジェクタを極めて精確な位置に置く必要がある。さらに、これらの製品の製造コストは極めて高い。
【発明の概要】
【発明が解決しようとする課題】
【００１４】
したがって、本発明は、投影又は逆投影スクリーンとして使用し得るグレージングを提供することで先行技術の公知のグレージングの欠点を克服することを目標とし、本発明のグレージングはグレージングの透明度を維持しつつ、特には、大きな画角で可視である画像の直接投影を可能にする。
【００１５】
本発明はまた、
投影される画像の明るさを強化し、
投影される画像のコントラストを強化又は改善し、
優れた画角を得て、このディスプレイが光学的欠点を伴うことなく製造され、すなわち画像は素晴らしい鮮明度でもって表示され、
ホットスポット現象を回避し且つ投影室における投影画像の反射及び透過に因る二次画像の結像によって引き起こされ得る不都合を最小限に抑えることを可能にする。
【課題を解決するための手段】
【００１６】
したがって、本発明は、投影又は逆投影スクリーンとして使用される２つの主要外面１０、２０を備えるグレージング５及びプロジェクタが用いられる投影又は逆投影方法に関し、この方法は、見物人に見える画像をプロジェクタでグレージングの面の一方に投影することを含み、このグレージングが２つの滑らかな主要外面２Ａ、４Ａを有する透明層状素子１を備えることを特徴とし、この透明層状素子１が、
それぞれが層状素子の２つの主要外面２Ａ、４Ａの一方を形成し且つ透明材料、好ましくは誘電体から構成される、実質的に同じ屈折率（ｎ２、ｎ４）を有する２つの外層２、４と、
外層の屈折率とは異なる屈折率（ｎ３）を有する透明層、好ましくは誘導体層、若しくは金属層である単層によって、又は少なくとも１つの、外層の屈折率とは異なる屈折率（ｎ３1、ｎ３2、・・・又はｎ３k）を有する透明層、好ましくは誘導体層、若しくは金属層を備える積層体（３1、３2、・・・３k）によって形成される、外層の間に挿入される中心層３とを備え、
一方が透明で屈折率（ｎ２、ｎ４、ｎ３、ｎ３1、ｎ３2、・・・又はｎ３k）を有し且つもう一方が金属であるか、又は両方が異なる屈折率を有する透明層である、層状素子の２つの隣接する層の間の各接触面（Ｓ0、Ｓ1、・・・Ｓk）はテクスチャ加工され、並びに前記各接触面が、一方が透明で屈折率（ｎ２、ｎ４、ｎ３、ｎ３1、ｎ３2、・・・又はｎ３k）を有し且つもう一方が金属であるか、又は両方が異なる屈折率を有する透明層である、２つの隣接する層の間の他のテクスチャ加工接触面に平行であることを特徴とする。
【００１７】
本発明において、屈折率の値が重要ではない一方の金属層と、もう一方の既定の屈折率を有する透明層、好ましくは誘導体層とは区別されており、これらに関しては外層の屈折率に対する屈折率における違いが考慮される。
【００１８】
特に有利な実施形態において、グレージングは追加で、少なくとも１つの反射防止コーティングを備える。
【００１９】
別の特に有利な実施形態において、グレージングは追加で、透明状態と散乱状態とを切り替え可能な機能性フィルムを備える可変光散乱系を備える。この可変光散乱系は好ましくは電気的に制御可能である。この系は、２つの電極担持支持体に囲まれた機能性フィルムを備え得て、機能性フィルムは好ましくは透明である。電極は機能性フィルムと直接接触している。電極は好ましくはそれぞれ少なくとも１つの導電層を備える。
【００２０】
本発明の好ましい実施形態は有利な実施形態を組み合わせたものである。
【００２１】
拡散反射を有する透明素子は、透過において透明であり且つ拡散反射を示すグレージングを得ることを可能にする。これらの特性は得られる投影画像の良好な明るさに寄与する。したがって、この素子は、「鏡面」タイプの正反射を制限しつつ素子を通したくっきりとした視界の両方を得ることを可能にする。中心層は拡散反射を促進するため、透明層状素子が組み込まれたグレージングのどの面への画像の直接投影も可能となり、画像は中心層で形成される。
【００２２】
反射防止コーティングの追加は、層状素子内での多重反射の軽減ひいては投影される画像の質の向上を可能にする。
【００２３】
可変光散乱系との組み合わせは、この系がその透明状態にある場合、グレージングの特性を変化させない。他方で、系がその散乱状態にある場合、層状素子の拡散反射が可変光散乱系の拡散反射に追加されることから、直接投影で得られる画像の質は改善される。この相乗的相互作用は、より良好な明るさ及びより良好なコントラストの投影画像を得ることを可能にする。したがって、好ましくは電気的に制御可能な可変光散乱系の存在は、透明状態と散乱状態との間で切り替わるが透明状態及び散乱状態の両方において良好な画角でもって直接投影が可能なグレージングを得ることを可能にする。
【００２４】
したがって、本発明のグレージングは、画像の直接投影を可能にする。投影画像は、最高１８０°になり得る優れた画角でもって見える。これは、約−９０°又は＋９０°の角度で位置している観察者が、本発明のグレージング上に投影された画像をはっきりと見る又は投影された文字列を読むことができるからである。
【００２５】
グレージングの特性、特にこの極めて大きい画角により、プロジェクタの位置について特定の制約を課さないことが可能になる。例えば、投影の質に悪影響を及ぼすことなく、プロジェクタのランプの正反射及び／又は非拡散透過が観察者には見えないようにプロジェクタを設置し得る。その結果、ホットスポット現象が回避される。
【００２６】
この同じ特性が、二次画像の形成によって引き起こされ得る不都合を最小限に抑えることを可能にする。二次画像は、
グレージング上に投影された光の正反射（次に画像は投影室の別の面上に形成される）、
グレージングを通って投影される光の非拡散透過（次に画像は投影室の別の面上に形成される）、
に起因する。
【００２７】
観察者にとって煩わしくない場所、例えば床上にこれらの二次画像が形成されるようにプロジェクタを位置決めすることで、この厄介事を最小限に抑えることが可能である。
【００２８】
本発明の解決策により、技術的な観点からだけでなく拡散反射特性を有する透明層状素子の存在によって発生する低追加コストに因る経済的な観点から、投影スクリーンとして使用するための既存のグレージングが改善される。
【００２９】
明細書全体を通して、本発明のグレージングは水平に位置決めされるとみなされ、下向きのその第１面は下側の主要外面１０を画成し、第１面の反対側にある上向きのその第２面は上側主要外面２０を画成している。したがって、「上」及び「下」という表現の意味は、この向きに対して考えられる。特に明記されていない限り、「上」及び「下」という表現は必ずしも２つの素子、層、コーティング及び／又は系が互いに接触して位置決めされていることを意味しない。用語「下側」及び「上側」は本明細書においてこの位置決めに関して用いられる。
【００３０】
グレージングは、層状素子及び／又は任意の可変光散乱系の、上又は下に位置決めされる少なくとも１つの追加層をさらに備え得る。グレージングのこの追加層は、層状素子の外層の透明材料、好ましくは誘電体の屈折率と極めて実質的に同じ屈折率を有するか又はそれとは異なる屈折率を有する透明材料、好ましくは誘電体から成り得る。これらの追加層は好ましくは、
２つの滑らかな主要面を備える、ポリマー、ガラス又はセラミックから選択される透明基板、
成形操作に適した最初は液体又はペースト状粘性状態の硬化性材料、
熱成形性又は感圧プラスチックから形成されるインサート、
から選択される。
【００３１】
グレージングは、２つの上側及び下側の主要外面１０、２０を備える。グレージングの主要外面は、例えばグレージングが追加層を備えない場合、層状素子の主要外面と一致し得る。他方で、グレージングが、
少なくとも１つの追加の上側層を備える場合、グレージングの上側の主要外面は追加の上側層の上側主要外面と一致し、
少なくとも１つの追加の下側層を備える場合、グレージングの下側主要外面は、追加の下側層の下側主要外面と一致する。
【００３２】
本発明の意味の範囲内で、用語「屈折率（ｉｎｄｅｘ）」とは、波長５５０ｎｍで測定される光学的屈折率のことである。
【００３３】
本発明において、薄層は、１μｍ未満の厚さを有する層である。
【００３４】
２つの透明材料又は透明層、好ましくは誘電体又は誘電体層は実質的に同じ屈折率を有する、あるいは２つの透明材料、好ましくは誘電体が５５０ｎｍでの屈折率の差の絶対値が０．１５以下である屈折率を有する場合、実質的に等しい屈折率を有する。本発明において、層状素子の２つの外層の構成透明材料、好ましくは誘電体材料の間での５５０ｎｍでの屈折率の差の絶対値は、好ましくは小さいほうから０．０５以下、０．０２以下、０．０１８以下、０．０１５以下、０．０１以下、０．００５以下である。
【００３５】
２つの透明材料又は透明層、好ましくは誘電体又は誘電体層は、５５０ｎｍでの屈折率の差の絶対値が厳密に０．１５より大きい場合、異なる屈折率を有する。有利な特色に従うと、一方の外層ともう一方の、中心層の屈折率（ｎ３、ｎ３1、ｎ３2、・・・ｎ３k）を有する少なくとも１つの透明層との間での５５０ｎｍでの屈折率の差の絶対値は０．３以上、好ましくは０．５以上、より好ましくは０．８以上である。
【００３６】
屈折率におけるこの比較的大きな差は、層状素子の内側の少なくとも１つのテクスチャ加工接触面で起きる。これが、このテクスチャ加工接触面での放射線の反射、すなわち層状素子による放射線の拡散反射の促進を可能にする。
【００３７】
２つの隣接する層の間の接触面は、２つの隣接する層の界面である。
【００３８】
透明素子は、少なくとも素子のターゲット用途の使用波長範囲において放射線の透過が起きる素子である。好ましくは、素子は、少なくとも可視波長範囲において透明である。
【００３９】
本発明において、透明材料又は透明層とは特に、
屈折率（ｎ２、ｎ４）を有する透明材料から成る外層２、４、
屈折率（ｎ３）を有する透明層から形成される中心層３、
外層の屈折率とは異なる屈折率（ｎ３1、ｎ３2、・・・又はｎ３k）を有する少なくとも１つの透明層を備える積層体（３1、３2、・・・３k）、
のことである。
【００４０】
好ましくは、透明材料又は透明層は有機質又は無機質である。好ましくは、透明材料又は透明層は金属ではない。無機透明材料又は透明層は、１種以上の遷移金属、非金属又はアルカリ土類金属の酸化物、窒化物又はハロゲン化物から選択され得る。遷移金属、非金属又はアルカリ土類金属は好ましくは、ケイ素、チタン、スズ、亜鉛、インジウム、アルミニウム、モリブデン、ニオブ、ジルコニウム又はマグネシウムから選択される。有機誘電体又は有機誘電体層はポリマーから選択される。
【００４１】
これらの透明材料又は透明層は好ましくは誘電体である。誘電体又は誘電体層は非金属材料又は非金属層である。誘電体又は誘電体層は低導電率、好ましくは１０4Ｓ／ｍ未満、任意で１００Ｓ／ｍ未満の材料又は層であると考えられる。また、誘電体又は誘電体層は金属の抵抗率より高い抵抗率を示す材料又は層であると考えられる。本発明の誘電体又は誘電体層は、１オーム・センチメートル（Ω・ｃｍ）を越える、好ましくは１０Ω・ｃｍを越える、任意で１０4Ω・ｃｍを越える抵抗率を示す。
【００４２】
本発明の特定の実施形態において、透明層状素子は電極担持支持体として使用される。例えば、透明層状素子は、可変光散乱系の電極担持支持体の１つを構成し得る。この場合、下側外層は支持体の役割を果たし、中心層及び上側外層から構成されるアセンブリは電極の役割を果たす。
【００４３】
この実施形態において、中心層は好ましくは少なくとも１つの金属層を備える。この層の上に位置する層が屈折率ｎ４、ｎ３1、ｎ３2、・・・ｎ３kを有する透明層である場合、これらの層はある程度導電性でなくてはならない。したがって、透明材料又は透明層は導電層になり得る。これは、これらの透明材料又は透明層が、この層又はこれらの層と層状素子の中心層とから構成される電極を絶縁しないだけの充分に「低い」抵抗率を示さなくてはならないからである。これらの層又は材料は好ましくは１Ω・ｃｍ未満、好ましくは１０-2Ω・ｃｍ未満の抵抗率を有する。
【００４４】
テクスチャ加工面又は粗面は、面特性が、面上の入射放射線の波長より大きい規模で変化する面である。そのため、入射放射線は透過し、面で拡散反射される。好ましくは、本発明のテクスチャ加工面又は粗面は、少なくとも０．５μｍ、特には１〜５μｍの算術平均偏差Ｒａに対応する粗さパラメータを示す（評価長さに沿ったプロファイルの中央線から測定される粗さプロファイルＲの全ての絶対距離の算術平均に対応する）。
【００４５】
滑らかな面とは、面不整がその面不整によって放射線が逸れないようなものである面である。したがって、入射放射線は透過し、面で正反射される。好ましくは、滑らかな面は、面不整が面上の入射放射線の波長より小さい又はずっと大きい（大規模起伏）寸法を有する面である。
【００４６】
しかしながら、外層又は追加層は、これらの層が実質的に同じ屈折率を有する誘電体から構成される１つ以上の追加層と接触しているならば若干の面不整を示し得て、追加層は若干の不整を示す層と接触している面とは反対側の面に、上で定義されたような滑らかな面を呈する。
【００４７】
好ましくは、滑らかな面は、０．１μｍ未満、好ましくは０．０１μｍ未満の算術平均偏差Ｒａに対応する粗さパラメータ又は１０°未満の傾斜を示す面である。
【００４８】
グレージングは、少なくとも１つの透明有機又は無機基板を備える。
【００４９】
層状素子は剛性又は可撓性になり得る。特には例えばガラス又はポリマーをベースとして構成されるグレージングになり得る。また、特には透過特性を保持しつつ拡散反射特性を付与するために面に追加可能な可撓性ポリマー系フィルムになり得る。
【００５０】
出願人は、本発明の層状素子の特に有利な特性は外層間での屈折率の一致、すなわちこれら２つの層が実質的に同じ屈折率を有する事実に因るものであることを発見した。本発明において、屈折率における一致又は屈折率における差は、層状素子の２つの外層の構成透明材料、好ましくは誘電体間での５５０ｎｍでの屈折率における差の絶対値に対応する。屈折率における差が小さければ小さいほど、グレージングを通した視界はより鮮明となる。層状素子を通した極めて鮮明な視界は、可能な限り良く調整された屈折率における一致に起因する。
【００５１】
本発明により、層状素子上での入射放射線の正透過及び拡散反射が得られる。正透過は、層状素子を通した鮮明な視界を保証する。拡散反射は、層状素子上での鋭い反射及び幻惑のリスクの防止を可能にする。
【００５２】
層状素子上での拡散反射は、２つの隣接する層（一方は透明であり、もう一方は金属である、あるいは異なる屈折率を有する２つの透明層である）の間の各接触面がテクスチャ加工されることから起きる。したがって、層状素子上の入射放射線がそのような接触面に到達した場合、入射放射線は金属層で反射されるか又は２つの透明層間での屈折率における差の結果として反射され、また接触面にはテクスチャ加工が施されているため、反射は拡散反射となる。
【００５３】
正透過は、層状素子の２つの外層が滑らかな主要外面を有し且つ実質的に同じ屈折率を有する材料から構成され、また層状素子の２つの隣接する層の間の各テクスチャ加工接触面（２つの隣接する層の一方は透明で屈折率（ｎ２、ｎ４、ｎ３、ｎ３1、ｎ３2、・・・又はｎ３k）を有し、もう一方は金属であり、あるいは２つの隣接する層は異なる屈折率を有する２つの透明層である）が２つの隣接する層の間の他のテクスチャ加工接触面（２つの隣接する層の一方は透明で屈折率（ｎ２、ｎ４、ｎ３、ｎ３1、ｎ３2、・・・又はｎ３k）を有し、もう一方は金属であり、あるいは２つの隣接する層は異なる屈折率を有する２つの透明層である）と平行であることから起きる。
【００５４】
層状素子の滑らかな外面は、各空気／外層界面での放射線の正透過を可能にする。すなわち、放射線の方向が変化することのない、空気から外層内への放射線の入射又は外層から空気中への放射線の出射を可能にする。
【００５５】
テクスチャ加工接触面の平行関係は、透明であり且つ外層の屈折率と異なる屈折率を有するか又は金属である中心層の構成要素又は各構成要素層が、中心層の外層との接触面に対して垂直に均一な厚さを示すことを含意する。
【００５６】
厚さにおけるこの均一性は、テクスチャ全体にわたって又はテクスチャのセクションに限局して共通となり得る。特に、テクスチャの傾斜に変動がある場合、２つの連続したテクスチャ加工接触面間の厚さはセクションごとにテクスチャの傾斜に応じて変化し得るが、テクスチャ加工接触面は常に互いに平行なままである。これは特に層の厚さがテクスチャの傾斜が大きくなるにつれて減少する陰極スパッタリングで堆積させる層の場合にあてはまる。したがって、局所的には、所定の傾斜を有する各テクスチャセクションにおいて層の厚さは一定なままであるが、層の厚さは、第１傾斜を有する第１テクスチャセクションと第１傾斜とは異なる第２傾斜を有する第２テクスチャセクションとの間で異なる。
【００５７】
有利には、層状素子内でテクスチャ加工接触面の平行関係を得るために、中心層の構成層又は各構成層は陰極スパッタリングで堆積される層である。これは、陰極スパッタリング、特には磁場支援型陰極スパッタリングが、層の境界を定める面が互いに平行となることを保証するからであり、他の堆積技法、例えば蒸着又は化学蒸着（ＣＶＤ）法又はゾル−ゲル法には当てはまらない。実際、層状素子内でのテクスチャ加工接触面の平行関係は、素子を通る正透過を得るのに必須である。
【００５８】
層状素子の第１外層上の入射放射線は、その方向を変化させることなくこの第１外層を横断する。第１外層と中心層の少なくとも１つの層との間での性質における違い（透明で屈折率（ｎ２、ｎ４、ｎ３、ｎ３1、ｎ３2、・・・ｎ３k）を有する又は金属である）又は屈折率の差の結果として、放射線は続いて中心層で屈折する。一方で層状素子の２つの隣接する層の間のテクスチャ加工接触面（２つの隣接する層の一方は透明でもう一方は金属であり、あるいは２つの隣接する層は異なる屈折率を有する２つの透明層である）は全て互いに平行であり、他方で第２外層は第１外層と実質的に同じ屈折率を有するため、スネル・デカルトの屈折の法則に従って、中心層から始まる第２外層における放射線の屈折角は第１外層から始まる中心層上での放射線の入射角に等しい。
【００５９】
このため放射線は、層状素子の第２外層から、素子の第１外層上でのその入射方向と同じ方向に沿って出てくる。したがって、層状素子による放射線の透過は正透過である。その結果、層状素子を通したくっきりとした視界が、すなわち半透明の層状素子を使用することなく、層状素子の正透過特性によって得られる。
【００６０】
本発明の一態様においては、層状素子の拡散反射特性を利用して放射線の大部分を複数の方向に放射線入射側で反射させる。層状素子の正透過特性により、この強力な拡散反射が、層状素子を通したくっきりとした視界を有しつつ、すなわち半透明の層状素子を使用せずに得られる。そのような強力な拡散反射を有する透明層状素子は、ディスプレイ、投影スクリーン等の用途にある程度の重要性を示す。
【００６１】
本発明の一態様において、層状素子の２つの外層の少なくとも一方は誘電体から構成され、
好ましくはポリマー、ガラス又はセラミックから選択される透明基板（その主要面の一方にはテクスチャ加工が施され、もう一方の主要面は滑らかである）、
１種以上の遷移金属、非金属又はアルカリ土類金属の酸化物、窒化物又はハロゲン化物から選択される透明材料、好ましくは誘電体の層、
成形操作に適した最初は液体又はペースト状粘性状態の硬化性材料をベースとし、
光架橋性及び／又は光重合性材料、
ゾル−ゲル法で堆積される層、
エナメル層、
を含む層、
ポリビニルブチラール（ＰＶＢ）、塩化ポリビニル（ＰＶＣ）、ポリウレタン（ＰＵ）、ポリエチレンテレフタレート又はエチレン／ビニルアセテート（ＥＶＡ）から選択されるポリマーを好ましくはベースとし得る熱成形性又は感圧プラスチックのインサート又はインターリーブ、
から選択される。
【００６２】
透明基板の主要面の１つへのテクスチャ加工はいずれの公知のテクスチャ加工法でも施し得て、例えば面を変形させることが可能な温度まで事前に加熱された基板面への、特には基板に形成しようとするテクスチャに相補的なテクスチャをその表面に有するローラでローラ掛けすることによるエンボス加工、研磨粒子又は研磨面による研磨（特にはサンドブラスト）、化学処理（特には、ガラス基板の場合は酸処理）、成型（特には、熱可塑性ポリマー製の基板の場合は射出成形）又は彫刻である。
【００６３】
透明基板がポリマーから形成される場合、この基板は剛性又は可撓性になり得る。本発明に適したポリマーの例には、特には
ポリエステル、例えばポリエチレンテレフタレート（ＰＥＴ）、ポリブチレンテレフタレート（ＰＢＴ）又はポリエチレンナフタレート（ＰＥＮ）、
ポリアクリレート、例えばポリメチルメタクリレート（ＰＭＭＡ）、
ポリカーボネート、
ポリウレタン、
ポリアミド、
ポリイミド、
フルオロポリマー、例えばフルオロエステル、例えばエチレン−テトラフルオロエチレン（ＥＴＦＥ）、ポリフッ化ビニリデン（ＰＶＤＦ）、ポリクロロトリフルオロエチレン（ＰＣＴＦＥ）、エチレン−クロロトリフルオロエチレン（ＥＣＴＦＥ）又はフッ化エチレン−プロピレンコポリマー（ＦＥＰ）、
光架橋性及び／若しくは光重合性樹脂、例えばチオレン、ポリウレタン、ウレタン−アクリレート又はポリエステル−アクリレート樹脂、並びに
ポリチオウレタン、
が含まれる。
【００６４】
これらのポリマーは概して、１．３〜１．７の屈折率範囲を示す。
【００６５】
層状素子の外層として直接使用し得る、前もってテクスチャ加工が施されたガラス基板の例には、
Saint-Gobain Glassが販売するSatinovo（登録商標）シリーズ（前もってテクスチャ加工が施され且つその主要面の１つに、サンドブラスト又は酸処理で得られるテクスチャを有する）のガラス基板、
Saint-Gobain Glassが販売するAlbarino（登録商標）S、P 若しくはGシリーズ（登録商標）又はMasterglass（登録商標）シリーズ（その主要面の１つにロール掛けで得られるテクスチャを呈する）のガラス基板、
フリントガラス等のサンドブラストでテクスチャ加工される高屈折率ガラス基板（例えば、Schottが品番ＳＦ６（ｎ＝１．８１）、７ＳＦ５７（ｎ＝１．８５）、Ｎ−ＳＦ６６（ｎ＝１．９２）及びＰ−ＳＦ６８（ｎ＝２．００）で販売）、
が含まれる。
【００６６】
層状素子の２つの外層のそれぞれが透明基板によって形成される場合、これら２枚の透明基板は互いに相補的なテクスチャを有する。
【００６７】
層状素子のテクスチャ加工が施された外層は単純に、１種以上の遷移金属、非金属又はアルカリ土類金属の酸化物、窒化物又はハロゲン化物から選択される透明材料、好ましくは誘電体の層から構成され得る。遷移金属、非金属又はアルカリ土類金属は好ましくは、ケイ素、チタン、スズ、亜鉛、アルミニウム、モリブデン、ニオブ、ジルコニウム又はマグネシウムから選択される。誘電体のこの薄層は高い屈折率を有する材料、例えばＳｉ3Ｎ4、ＡｌＮ、ＮｂＮ、ＳｎＯ2、ＺｎＯ、ＳｎＺｎＯ、Ａｌ2Ｏ3、ＭｏＯ3、ＮｂＯ、ＴｉＯ2又はＺｒＯ2及び低屈折率を有する材料、例えばＳｉＯ2、ＭｇＦ2又はＡｌＦ3から選択される材料から構成され得る。この層は好ましくは層状素子の上側外層として使用され、また陰極スパッタリング堆積技法、特には磁場支援型陰極スパッタリング堆積技法、蒸着、化学蒸着（ＣＶＤ）法によって、既に下側外層及び中心層を備えているグレージング上に堆積され得る。他方で、陰極スパッタリングで形成される堆積物は面に合致する。したがって、このようにして堆積された層を続いて研磨して平坦な主要外面を得なくてはならない。したがって、これらの誘電体層は中心層の表面粗さに調和したテクスチャ加工面と、この面とは反対側の、平坦な主要外面とを備える。
【００６８】
層状素子の外層はまた、成形操作に適した最初は液体又はペースト状粘性状態の硬化性材料をベースとし得る。好ましくは、これらの層は、層状素子の上側外層として使用される。
【００６９】
最初は液体又はペースト状粘性状態で堆積される層は、光架橋性及び／又は光重合性材料の層になり得る。好ましくは、この光架橋性及び／又は光重合性材料は周囲温度で液体の形態で用意され、照射により光架橋及び／又は光重合されると、気泡又は他の不整のない透明な固体となる。この材料は特には樹脂、例えば通常は接着剤又は表面コーティング剤として使用されるものになり得る。これらの樹脂は概して、エポキシ、エポキシシラン、アクリレート、メタクリレート、アクリル酸又はメタクリル酸タイプのモノマー／コモノマー／プレポリマーをベースとする。例えば、チオレン、ポリウレタン、ウレタン−アクリレート又はポリエステル−アクリレート樹脂を挙げ得る。樹脂の代わりに、この材料は光架橋性水性ゲル、例えばポリアクリルアミドゲルになり得る。本発明で使用し得る光架橋性及び／又は光重合性樹脂の例には、Norland OpticsがNOA（登録商標）Norland Optical Adhesivesブランドとして販売している製品、例えばNOA（登録商標）65、NOA（登録商標）75製品が含まれる。
【００７０】
代替の形態において、最初は液体又はペースト状粘性状態で堆積される外層はゾル−ゲル法で堆積されるゾル−ゲル層になり得て、ゾル−ゲル法に従って得られるシリカ系マトリックスを含む。
【００７１】
ゾル−ゲル法は、第１ステップにおいて、水の存在下で重合反応を引き起こす前駆体を含む「ゾル−ゲル溶液」と称される溶液を調製することから成る。このゾル−ゲル溶液を面上に堆積させると、ゾル−ゲル溶液中の水の存在により又は大気中の水分との接触により、前駆体は加水分解、縮合して網目構造が形成され、その網目構造内に溶媒が捕捉される。これらの重合反応によって次第に縮合度が上昇する実体が形成され、ゾル、次にゲルを形成するコロイド粒子となる。これらのゲルを数百度オーダーの温度で乾燥、緻密化すると、シリカ系前駆体の存在下、ガラスに相当するゾル−ゲル層が得られ、このゾル−ゲル層の特徴は慣用のガラスのものと同様である。
【００７２】
好ましくは、ゾル−ゲル層は、層状素子の上側外層として使用される。その粘性により、コロイド溶液又はゲルの形態のゾル−ゲル溶液は第１外層とは反対側の、中心層のテクスチャ加工主要面上に容易に堆積し得て、この面のテクスチャに合致する。ゾル−ゲル層は、中心層の粗さを「埋める」。これは、この層がそのようにテクスチャ加工された中心層の表面粗さに調和する面と、この面とは反対側にある、平坦な主要外面とを備えるからである。したがって、ゾル−ゲル法で堆積される層は層状素子の面の平坦化をもたらす。
【００７３】
ゾル−ゲル層はシリカ系マトリックスを含み得て、またシリコンアルコキシドＳｉ（ＯＲ）4等の前駆体から得られる。このため、ゾル−ゲル層はシリカガラスに相当する。
【００７４】
堆積を、以下の技法：
ディップコーティング、
スピンコーティング、
ラミナーフローコーティング又はメニスカスコーティング、
スプレーコーティング、
ソークコーティング、
ロール・ツー・ロール方式加工、
ペイントコーティング、
スクリーン印刷、
の１つに従って行い得る。
【００７５】
堆積は、好ましくは空気噴霧式のスプレーコーティングによって行われる。ゾル−ゲル層を乾燥させるための温度は０〜２００℃、好ましくは１００〜１５０℃、より好ましくは１２０〜１７０℃になり得る。
【００７６】
ゾル−ゲル法で堆積される層は、層状素子の面の平坦化をもたらす。しかしながら、そのような平坦化層を使用すると、ゾル−ゲル層の主要外面は、大規模面不整を呈し得る。したがって、層状素子の外層の滑らかさを再構成するために、不整を呈するこの面と接触させて、外層と実質的に同じ屈折率を有する幾つかの追加層、例えばプラスチックシート、板ガラス基板等を位置決めすることが可能である。
【００７７】
別の外層例は、ガラス基板、例えばソーダ石灰ガラス基板上にガラスフリットをベースとしたエナメルを堆積することで得られる。エナメルを得るために、まずガラスフリットを含む調合物を、ガラスを数ミクロン（例えば、Ｄ５０＝２ミクロン）の粒径に粉砕し、続いてこの粉砕ガラスを有機マトリックスを使用してペーストにすることで調製する。次に、この組成物の層を、液状堆積技法、例えばスクリーン印刷又はスロットコーティングによりガラス基板上に堆積する。そして、この層を、組成物に使用したガラスフリットのガラス転移温度より少なくとも１００℃高い温度で焼成する。エナメル層は、成形操作に適した最初は粘性の液体又はペースト状態の硬化性材料をベースとした層に対応する。
【００７８】
続いて、極限ｐＨ値を有する、すなわち強酸性（ｐＨ＜２）又は強塩基性（ｐＨ＞１２）である溶液での処理によってこのエナメル層に粗面又はテクスチャ加工を施し得る。この場合、ガラス基板は層状素子の追加層であり、エナメル層は層状素子の外層を構成すると考えられる。
【００７９】
エナメル層は、上側外層としても使用され得る。この場合、層状素子のテクスチャ加工上側外層は単純に、液状堆積技法（スクリーン印刷、スロットコーティング等）によって下側外層及び中心層が事前にコーティングされた支持体上に堆積される、ガラスフリットをベースとしたエナメル組成物から構成され得る。エナメル層は、中心層の粗さを「埋める」。エナメル層はそのようにテクスチャ加工された中心層の表面粗さに調和する面とこの面とは反対側にある、平坦な主要外面とを備える。しかしながら、この場合、ガラスフリットを含む組成物を溶融させるための高焼成温度という観点から、層状素子のその他の層に使用する材料、すなわち中心層でコーティングされる外層の材料がこの焼成段階の後に変形しないようにすることが必要である。例えば、下側外層としてテクスチャ加工されたエナメルを含むガラス基板から構成される支持体を使用する場合、上側外層を形成することが意図された、ガラスフリットを含むエナメル組成物が下側外層のエナメル形成に使用されるフリット組成物のガラス転移温度より低いガラス転移温度Ｔｇを示すことが好ましい。したがって、下側外層は、上側外層の焼成段階中に変形しない。
【００８０】
外層は、圧縮及び／又は加熱によってテクスチャ加工を施される、熱成形性又は感圧プラスチックから形成されるインサート又はシートをベースとした層を備え得る。ポリマー材料をベースとしたこの層は特にはポリビニルブチラール（ＰＶＢ）、エチレン／ビニルアセテート（ＥＶＡ）、ポリウレタン（ＰＵ）、ポリエチレンテレフタレート（ＰＥＴ）又は塩化ポリビニル（ＰＶＣ）をベースとした層になり得る。ポリマー材料をベースとしたこの層は、第１外層の屈折率に実質的に等しい屈折率を有する透明基板等の追加層との間をつなぐ積層インサートとしての役割を果たし得る。
【００８１】
外層の厚さは好ましくは０．２μｍ〜６ｍｍ、より好ましくは１μｍ〜６ｍｍであり、材料の選択によって異なる。
【００８２】
平坦な又はテクスチャ加工が施されたガラス基板は好ましくは０．４〜６ｍｍ、好ましくは０．７〜４ｍｍの厚さを有する。
【００８３】
平坦な又はテクスチャ加工が施されたポリマー基板は好ましくは０．０２０〜２ｍｍ、好ましくは０．０２５〜０．２５ｍｍの厚さを有する。
【００８４】
１種以上の遷移金属、非金属又はアルカリ土類金属の酸化物、窒化物又はハロゲン化物から選択される透明材料、好ましくは誘電体の層から構成される外層は好ましくは０．２〜２０μｍ、好ましくは０．５〜２μｍの厚さを有する。
【００８５】
成形操作に適した最初は液体又はペースト状粘性状態の硬化性材料をベースとした層は好ましくは０．５〜５０μｍ、好ましくは０．５〜２０μｍの厚さを有する。光架橋性及び／又は光重合性材料をベースとした層は好ましくは０．５〜２０μｍ、好ましくは０．７〜１０μｍの厚さを有する。ゾル−ゲル法で堆積される層は好ましくは０．５〜５０μｍ、好ましくは１０〜１５μｍの厚さを有する。ガラスフリットをベースとしたエナメル層は好ましくは、３〜３０μｍ、好ましくは５〜２０μｍの厚さを有する。
【００８６】
プラスチックインサート又はシートをベースとした層は好ましくは１０μｍ〜２ｍｍ、好ましくは０．３〜１ｍｍの厚さを有する。
【００８７】
外層として使用される透明材料又は透明層は、例えば標準ガラスを使用する場合、１．４９〜１．７、好ましくは１．４９〜１．５４又は１．５１〜１．５３の屈折率を有し得る。
【００８８】
グレージングから構成されるスクリーンの質は、このグレージングの透過及び反射特性に左右される。原則として、光透過率が低ければ低いほど光反射率は高く、直接投影で使用するスクリーンの質は良好である。しかしながら、本発明では、透過における良好な透明性の保持を追及している。
【００８９】
一実施形態において、中心層は、光の反射を促進する少なくとも１つの反射層、すなわち高い可視光反射率を示す層を備える。この特性は層状素子の特殊な構造と相まって光の拡散反射を可能にし、投影スクリーンとしての使用にとって極めて優れた特性が得られる。しかしながら、反射層の使用はグレージングを通る光透過にとって不利益となる。したがって、中心層の反射及び透過特性の選択は、グレージングの良好な透明性と投影される画像の良好な明るさの達成との間で予測されるものに応じてなされなくてはならない。
【００９０】
層状素子の中心層の層又は積層体は、
透明ポリマーから形成される少なくとも１つの接着層、
１種以上の遷移金属、非金属又はアルカリ土類金属の酸化物、窒化物又はハロゲン化物から選択される透明材料、好ましくは誘電体から構成される少なくとも１つの薄層、
少なくとも１つの金属薄層、特には銀、金、銅、チタン、ニオブ、ケイ素、アルミニウム、ニッケル−クロム合金（ＮｉＣｒ）、ステンレススチール又はこれらの合金の薄層、
を備え得る。
【００９１】
透明材料、好ましくは誘電体から構成される薄層は、
外層の屈折率とは異なる高屈折率を有する透明材料、好ましくは誘電体、例えばＳｉ3Ｎ4、ＡｌＮ、ＮｂＮ、ＳｎＯ2、ＺｎＯ、ＳｎＺｎＯ、Ａｌ2Ｏ3、ＭｏＯ3、ＮｂＯ、ＴｉＯ2又はＺｒＯ2から構成される少なくとも１つの薄層、
外層の屈折率とは異なる低屈折率を有する透明材料、好ましくは誘電体、例えばＳｉＯ2、ＭｇＦ2又はＡｌＦ3から構成される少なくとも１つの薄層、
から選択され得る。
【００９２】
中心層が透明ポリマーから形成される接着層である場合、外層を、外層の屈折率とは異なる屈折率を有する誘電体の層によって形成されるこの中心層で組み立てる。
【００９３】
中心層の厚さの選択は、一定数のパラメータに左右される。概して、中心層の総厚は１μｍ未満、好ましくは５〜２００ｎｍであると考えられ、中心層の層の厚さは１〜２００ｎｍである。
【００９４】
中心層が金属層を備える場合、層の厚さは好ましくは５〜４０ｎｍ、より好ましくは６〜３０ｎｍ、より一層好ましくは６〜２０ｎｍである。好ましくは、中心層は、銀、金、ニッケル、クロム又は合金をベースとした、例えばスチール、好ましくはステンレススチールから形成される金属層を備える。
【００９５】
中心層が例えばＴｉＯ2の誘電体層を備える場合、中心層は好ましくは２０〜１０ｎｍ、より好ましくは５５〜６５ｎｍの厚さ及び／又は２．２〜２．４の屈折率を示す。
【００９６】
有利には、層状素子の中心層の組成を調節することによって層状素子に追加の特性、例えば太陽光制御及び／又は低放射率タイプの熱特性を付与し得る。したがって、一実施形態において、層状素子の中心層は、「ｎ」枚の金属機能性層、特には銀又は銀含有合金をベースとした機能性層と「（ｎ＋１）」（ｎ≧１）枚の反射防止コーティングとを交互に備え各金属機能性層が２枚の反射防止コーティングの間に位置決めされる、薄層の透明な積層体である。
【００９７】
公知のやり方において、金属機能性層を有するそのような積層体は太陽光の範囲及び／又は長波長赤外線の範囲で反射特性を示す。そのような積層体においては金属機能性層が本質的に熱性能を決定し、金属機能性層を囲む反射防止コーティングは光学的側面に干渉的に作用する。これは、金属機能性層は各金属機能性層についてたとえ１０ｎｍオーダーの小さい幾何的厚さであっても望ましい熱的性能を得ることを可能にするのに、可視波長の範囲の放射線の通過には強力に対抗するからである。したがって、各金属機能性層の両側の反射防止コーティングが、可視光範囲における良好な光透過を確保するために必要である。実際には、光学的に最適化されるのは、金属薄層及び反射防止コーティングを備える中心層の積層体全体である。有利には、光学的最適化は層状素子の積層体全体に対して行われ得て、すなわち中心層の両側に位置決めされた外層も含まれる。
【００９８】
したがって、得られる層状素子は光学特性、すなわち層状素子上での入射放射線の正透過及び拡散反射の特性と熱特性、すなわち太陽光制御及び／又は低放射率の特性とを併せ持つ。そのような素子を備えるグレージングは、投影又は逆投影スクリーンのその機能に加えて、建築物又は車両の太陽光防御及び／又は断熱の機能を含む。
【００９９】
中心層が透明ポリマーから形成される接着層である場合、外層は、外層の屈折率とは異なる屈折率を有する誘電体の層によって形成されるこの中心層によって組み立てられる。
【０１００】
本発明の一態様において、層状素子の２つの隣接する層の間の各接触面（２つの隣接する層の一方は透明で好ましくは誘電体であり、もう一方は金属であり、あるいは２つの隣接する層は異なる屈折率を有する２つの透明層である）のテクスチャは、接触面の全般面に対して窪んだ又は突出した複数のパターンによって形成される。好ましくは、層状素子の２つの隣接する層の間の各接触面（２つの隣接する層の一方は透明で好ましくは誘電体であり、もう一方は金属であり、あるいは２つの隣接する層は異なる屈折率を有する２つの透明層である）のパターンの平均高さは１μｍ〜１ｍｍである。本発明の意味の範囲内で、接触面のパターンの平均高さは、接触面の各パターンについて接触面のピークと全般面との間で測定される、絶対値での距離ｙiの算術平均と定義され、
【数１】
0006309946.tif 000002
に等しい。
【０１０１】
層状素子の２つの隣接する層の間の各接触面（２つの隣接する層の一方は透明で好ましくは誘電体であり、もう一方は金属であり、あるいは２つの隣接する層は異なる屈折率を有する２つの透明層である）のテクスチャのパターンは、接触面全体にわたってランダムに分散させられ得る。代替の形態において、層状素子の２つの隣接する層の間の各接触面（２つの隣接する層の一方は透明であり、もう一方は金属であり、あるいは２つの隣接する層は異なる屈折率を有する２つの透明層である）のテクスチャのパターンは、接触面全体にわたって周期的に分散させられ得る。これらのパターンは特には円錐、角錐、溝、畝又はさざ波になり得る。
【０１０２】
本発明の一態様において、それ自身とは異なる性質（誘電体又は金属）又はそれ自身とは異なる屈折率を有する層に囲まれた中心層の各層に関し、隣接する層とのその接触面に対して垂直に測定されるこの層の厚さは、隣接する層とのその接触面のそれぞれのパターンの平均高さより小さい。そのような小さい厚さは、この層への放射線の入射界面とこの層から出ていく放射線の出射界面とが平行である確率を上昇させ、ひいては層状素子を通る放射線の正透過率を上昇させることを可能にする。有利には、それ自身とは異なる性質（誘電体又は金属）又はそれ自身とは異なる屈折率を有する２つの層の間に挿入される中心層の各層の厚さは（この厚さは隣接する層とのその接触面に対して垂直に測定される）、隣接する層とのその接触面のそれぞれのパターンの平均高さの１／４未満である。
【０１０３】
中心層は、第１外層のテクスチャ加工主要面上にその面と合致するように堆積される単層又は第１外層のテクスチャ加工主要面上にその面と合致するように連続的に堆積される層の積層体によって形成される。
【０１０４】
本発明において、堆積後にもし中心層の上面がテクスチャ加工され且つ第１外層のテクスチャ加工接触面に対して平行であるならば、中心層は第１外層のテクスチャ加工主要面上にその面と合致するように堆積されると考えられる。第１外層のテクスチャ加工主要面上への中心層のテクスチャ加工主要面と合致するような堆積又は中心層の複数の層のテクスチャ加工主要面と合致するような連続的な堆積は、好ましくは陰極スパッタリング、特には磁場支援型陰極スパッタリングによって行われる。
【０１０５】
透明層状素子はグレージングの全面又はグレージングの少なくとも一部にわたって延び得て、すなわち層状素子１は、主要外面１０、２０の一部だけ又は全体を考慮にいれて形成され得る又は存在し得る。したがって、グレージングは層状素子をその面の一部だけに備え得る。したがって、層状素子を備えるグレージングの一部だけを実際に投影スクリーンとして使用し得る。投影スクリーンとして実際に使用し得るグレージングの面は層状素子を備える面に対応し且つその面と整列している。用語「面の一部」とは、観察者に見える画像の投影を可能にするのに充分な表面積を意味すると理解される。例えば、この面の一部は、グレージングの総表面積の１０〜９０％になり得る。
【０１０６】
層状素子が不在であっても厚さが均一なグレージングを得るために、幾つかの解決策が考えられる。一実施形態においては、外層として、滑らかな主要外面と少なくとも面の一部がテクスチャ加工され且つ少なくとも面の一部が滑らかである主要内面とを備える透明基板を使用する。続いて、中心層が、例えば陰極スパッタリングによりこの外層上に堆積される。この堆積技法は面に従う。その結果として、外層のテクスチャ加工部上だけでテクスチャ加工された中心層及び外層の非テクスチャ加工部上で滑らかな層が得られる。そして、成形操作に適した最初は液体又はペースト状粘性状態の硬化性材料をベースとした外層、好ましくはゾル−ゲル層が中心層上に堆積される。中心層がテクスチャ加工される場合この層が粗さを埋め、また全てのケースにおいてこのアセンブリの上側主要外面を平坦化する。
【０１０７】
このやり方で進めることによって、特には２つのテクスチャ加工され且つ平行な隣接する層の間に少なくとも２つの接触面を有するという特徴を示す本発明の層状素子は、外層のテクスチャ加工部に対応するグレージングの面の一部の上だけに位置する。外層の滑らかな部分に対応するグレージングの面の部分は、２つのテクスチャ加工され且つ平行な隣接する層の間の接触面を示さず、結果的に拡散反射特性を示さない。したがって、本発明のグレージングの面の一部の上だけに層状素子を備えるグレージングが実際に得られる。
【０１０８】
基板の部分的なテクスチャ加工は上述したようないずれの公知のテクスチャ加工法、例えば基板の面の少なくとも一部をテクスチャ加工せずに残すためのマスクを使用する、例えば基板の面のエンボス加工、研磨、サンドブラスト、化学処理又は彫刻によっても得られる。
【０１０９】
この実施形態は有利である。例えば情報を投影するためにグレージングの上部のバナー上だけに層状素子を得ることが可能だからである。グレージングの、層状素子を備えた部分だけを投影スクリーンとして実際に使用し得る。これは特には本発明で得られる極めて大きい画角ゆえに可能であり、このことは大きい角度でもってプロジェクタを配置することを可能にする。
【０１１０】
一実施形態において、グレージングは追加で少なくとも１つの反射防止コーティング６を備える。反射防止コーティングの存在には、グレージングの外面ではなく層状素子の各テクスチャ加工接触面で入射放射線を優先的に反射する効果があり、これは正反射モードではなく拡散反射モードに対応する。したがって、層状素子による放射線の拡散反射が正反射より優先される。
【０１１１】
１つ以上の反射防止コーティングの存在は、多重反射によって発生する二次画像と比較して、より精細な投影画像の達成、特には画像の鮮明度の向上及び投影から得られる主画像のコントラストにおける上昇に寄与する。
【０１１２】
反射防止コーティングは好ましくは、スクリーンが投影スクリーンとして使用されようと逆投影スクリーンとして使用されようと、プロジェクタから最も離れた側に位置するグレージングの主要外面上に位置決めされる。これは、グレージングを透明なままにするために、光の殆どが透過し、残りが拡散反射してこの画像を形成するからである。この大部分の透過光は次にプロジェクタの反対側に位置しているグレージングの主要外面で反射され、中心層で画像を再形成し得て、この画像はその時、光が進む距離がより長い結果、異なるサイズを有する。この二重像は画像の鮮明度を損なう。
【０１１３】
同じ現象がプロジェクタ側に位置しているグレージングのもう一方の主要外面で起きるが、拡散反射した一部の光から生じるだけなので、画像は薄い。
【０１１４】
グレージングは有利には少なくとも１つの反射防止コーティングをその主要外面のそれぞれの上に備える。
【０１１５】
したがって、好ましくは昇順で、本発明のグレージングは、
好ましくはグレージングのプロジェクタとは反対側の、空気と、グレージングの主要外面を形成する層の構成材料との間の界面に少なくとも１つの反射防止コーティング、
グレージングの各主要外面上に少なくとも１つの反射防止コーティング
を備える。
【０１１６】
グレージングが基板（又は対向基板）を備える場合、その外面はグレージングの主要外面に対応し、反射防止コーティングは基板の外面及び／又は内面に存在し得る。
【０１１７】
グレージングの主要外面の少なくとも１つ上に設けられる反射防止コーティングは、空気と反射防止コーティングを堆積させる支持体（ガラス基板又は層状素子の外層等）との間の界面での放射線の反射の軽減を可能にするいずれのタイプのものにもなり得る。特には、反射防止コーティングは、空気の屈折率と反射防止コーティングを堆積させる支持体の屈折率との間の屈折率を有する層になり得て、例えば真空技法で堆積される層又はゾル−ゲルタイプの多孔質層又は、外層がガラスから形成される場合、エッチングタイプの酸処理によって得られるガラス外層の空洞面部である。代替の形態において、反射防止コーティングは、空気と外層との間の界面で干渉フィルタとして作用する交互に低屈折率及び高屈折率を有する薄層積層体によって、あるいは空気の屈折率と外層の屈折率との間の連続的な又は交互勾配の屈折率を示す薄層積層体によって形成され得る。
【０１１８】
追加層は好ましくは：
上で定義したようなポリマー、ガラス又はセラミックから選択される、ただし２つの滑らかな主要面を備える透明基板、
上で定義したような成形操作に適した最初は液体又はペースト状粘性状態の硬化性材料、
上述したような熱成形性又は感圧プラスチックから形成されるインサート又はシート
から選択される。
【０１１９】
有利には、層状素子の滑らかな主要外面及び／又はグレージングの滑らかな主要外面は平坦である又は湾曲している。好ましくは、これらの滑らかな主要外面は互いに平行である。このことは層状素子を横断する放射線の光分散の制限、ひいては層状素子又はグレージングを通した視界の鮮明度の改善に寄与する。
【０１２０】
本発明の別の主題は、本特許出願において定義されるような投影スクリーンとして使用されるグレージングと、投影中にグレージングを照らすためのプロジェクタとを備える投影システムである。
【０１２１】
本発明の別の主題は本発明の投影又は逆投影スクリーンとして使用されるグレージングであり、グレージングに関して本特許出願において記載した特徴を示す２つの主要外面１０、２０を備える。
【０１２２】
グレージングは好ましくは反射で動作する投影スクリーンとして使用され、すなわち見物人及びプロジェクタは、投影スクリーンとして使用されるグレージングの同じ側に位置する。しかしながら、グレージングは透過で動作する逆投影スクリーンとして使用され得て、すなわち見物人及びプロジェクタはグレージングの両側に位置し得る。
【０１２３】
グレージングは好ましくは、上で定義されたような少なくとも１つの透明層状素子１と少なくとも１つの可変散乱系とを備える。
【０１２４】
本発明の有利な実施形態において、グレージングは追加で電気的に制御可能な可変光散乱系を備える。機能性フィルムは能動素子を備え、その配向は電場又は磁場の印加によって変化する。
【０１２５】
これらの可変光散乱系は、例えば液晶系を備える。
【０１２６】
本発明において、用語「ＯＮ状態」とは、グレージングに電気を供給した場合の機能性フィルムの透明状態を意味すると理解され、用語「ＯＦＦ状態」は、グレージングに電気が供給されなくなった場合の機能性フィルムの散乱状態を意味すると理解される。フィルムに電圧を印加すると、能動素子は、優先される軸線に沿って配向され、これが放射線の透過を可能にし、機能性フィルムを通して見えるようになる。電圧が印加されないと、能動素子が整列しないためフィルムは散乱性となり、見えなくなる。機能性フィルムは、電場の印加によって透明状態と半透明状態との間で可逆的に切り替わる。
【０１２７】
拡散反射特性を有する透明層状素子と可変光散乱系との組み合わせは、透明状態と散乱状態との間での切り替えを可能にする。散乱状態にある可変光散乱系及び拡散反射を有する透明素子の反射における特性の組み合わせは、単体で使用される可変光散乱系を備えるグレージングと比較して、極めて良好な明るさ、高いコントラスト及びより大きい画角を示す投影スクリーンを得ることを可能にする。
【０１２８】
そして、可変光散乱系が透明状態にある場合、拡散反射を有する透明層状素子の存在により、グレージングは同じく直接投影の投影スクリーンとして動作し得る。
【０１２９】
本発明においては、明るい環境における良好な質の画像の投影が可能だが、これは可変光散乱系を備える先行技術のグレージングでは困難であった。投影される画像の質、特にはコントラストが、機能性フィルムがＯＮ状態にある場合にグレージングの透明度を損なうことなく極めて大きく改善される。
【０１３０】
したがってこの有利な実施形態は、可変光散乱系だけを備えるグレージングと比較して、明るさ及びコントラストを暗がり及び明るい部屋の両方において上昇させること、また優れた画角、ひいては画像の良好な見え方及び可読性を、たとえ角度１８０°で観察した場合であっても可能にする。
【０１３１】
液晶を有する電気的に制御可能な可変光散乱系は、液晶を含む機能性フィルムを備える。これらの液晶系は、電場、好ましくは交流電場の印加により、透明状態と非透明状態との間で可逆的に切り替わる。機能性フィルムは好ましくは、液晶、特には正の誘電異方性を有するネマチック液晶の液滴が分散している高分子材料を含む。
【０１３２】
グレージング用途に使用される液晶は好ましくはカラミチック液晶ファミリーに分類される。この液晶ファミリーは概して３つのグループ：ネマチック、コレステリック及びスメクチックに分割される。
【０１３３】
大画面用途の場合、使用される用語は概して分散液晶（Ｐｏｌｙｍｅｒ−Ｄｉｓｐｅｒｓｅｄ  Ｌｉｑｕｉｄ  Ｃｒｙｓｔａｌ：ＰＤＬＣ）及びカプセル化液晶（Ｎｅｍａｔｉｃ  Ｃｕｒｖｉｌｉｎｅａｒ  Ａｌｉｇｎｅｄ  Ｐｈａｓｅ：ＮＣＡＰ）、特にはPriva-Lite（登録商標）グレージングにおいて使用されるものである。これらの系は、微細空洞に閉じ込められたネマチック液晶から得られる。ＮＣＡＰフィルムは概してエマルションから作製されるが、ＰＤＬＣフィルムは概して、重合又は架橋中に別々の相を形成する等方性溶液から得られる。
【０１３４】
また、本発明において、ＣＬＣ（「コレステリック液晶」）又はＮＰＤ−ＬＣＤ（「不均一高分子分散液晶ディスプレイ」）タイプの液晶を使用し得る。
【０１３５】
また、例えば、少量の架橋ポリマーを含むコレステリック液晶、例えば国際出願第９２／１９６９５号パンフレットに記載されるもの又は光透過率ＬＴにおける変化に応じて切り替わる液晶をベースとしたゲルを含む層を使用し得る。より広くは、したがってＰＳＣＴ（「ポリマー安定化コレステリックテクスチャ」）製品が選択され得る。
【０１３６】
また、欧州特許第２２５６５４５号明細書に記載されるような双安定性液晶を使用し得て、双安定性液晶はパルス形態の交流電場の印加で切り替わり、新たにパルスが印加されるまで切り替えられた状態で留まる。
【０１３７】
液晶を含む機能性フィルムは好ましくは３〜１００μｍ、好ましくは３〜５０μｍ、より好ましくは３〜３０μｍの厚さを有する。
【０１３８】
機能性フィルムは、液晶が能動素子として分散したポリマーフィルム又は液晶の層を備え得る。ポリマーフィルムは架橋ポリマーフィルム又は媒体中の液晶のエマルションになり得る。ＮＣＡＰ、ＰＤＬＣ、ＣＬＣ及びＮＰＤ−ＬＣＤの用語で公知の液晶を使用し得る。
【０１３９】
機能性フィルムは、能動素子として、適切な媒体中に液滴の形態で分散した液晶を含むポリマーフィルムになり得る。液晶は、正の誘電異方性を有するネマチック液晶、例えばＮＣＡＰ又はＰＤＬＣタイプの液晶になり得る。液晶機能性フィルムの例は、特には欧州特許第８８１２６号明細書、欧州特許第２６８８７７号明細書、欧州特許第２３８１６４号明細書、欧州特許第３５７２３４号明細書、欧州特許第４０９４４２号明細書及び欧州特許第９６４２８８号明細書並びに米国特許第４４３５０４７号明細書、米国特許第４８０６９２２号明細書及び米国特許第４７３２４５６号明細書に記載されている。
【０１４０】
これらのポリマーフィルムは、液晶と水溶性ポリマーを含む媒体との水性エマルション中に存在する水を蒸発させることで得られる。
【０１４１】
媒体は好ましくはポリウレタン（ＰＵ）タイプのラテックスのファミリーのポリマー及び／又はポリビニルアルコール（ＰＶＡ）タイプのポリマーをベースとしたものであり、概して水に対してポリマーが１５〜５０重量％の割合の水相に調製される。
【０１４２】
原則として、液晶の複屈折は０．１〜０．２であり、特には使用する媒体に応じて変化する。その複屈折は、媒体のポリマーがポリウレタン（ＰＵ）タイプならば０．１オーダーであり、ポリビニルアルコール（ＰＶＡ）タイプならば０．２オーダーである。
【０１４３】
光散乱に関して能動的な素子は有利には０．５〜３μｍ、特には１〜２．５μｍの平均直径を有する、媒体に分散した液滴の形態である。液滴のサイズは一定数のパラメータに左右され、特には検討中の媒体における能動素子の乳化性が含まれる。好ましくは、これらの液滴は、媒体の概して水性である溶媒は除いて、媒体の１２０〜２２０重量％、特には１５０〜２００重量％となる。
【０１４４】
特に好ましくは、媒体がポリウレタンラテックス（複屈折約０．１）をベースとする場合、直径約２．５μｍ、媒体がポリビニルアルコール（複屈折約０．２）をベースとする場合、直径約１μｍを有する液滴の形態の液晶が選択される。
【０１４５】
ネマチック液晶の液体エマルションを含む機能性フィルムは好ましくは約１０〜３０μｍ、より好ましくは２０〜２５μｍの厚さを有する。
【０１４６】
このタイプのフィルムは、一旦２枚の基板の間に積層、取り込まれたら、Saint-Gobain GlassからPriva-Lite（登録商標）の商品名で販売される。
【０１４７】
液晶を含むポリマーフィルムは、液晶、モノマー及び好ましくは重合開始剤を含む混合物を調製し、続いてモノマーを架橋することで得られる。
【０１４８】
液晶を含むポリマーフィルムは、４−（（４−エチル−２，６−ジフルオロフェニル）エチニル）−４’−プロピルビフェニル及び２−フルオロ−４，４’−ビス（トランス−４−プロピルシクロヘキシル）ビフェニル等の、例えばMerckが品番ＭＤＡ−００−３５０６で販売する化合物を含み得る。
【０１４９】
ポリマーフィルムは、米国特許第５６９１７９５号明細書に記載の公知の化合物を含み得る。本発明に適した液晶として、商品名E-31 LVで販売されるMerck Co. Ltdの製品に言及し得て、この製品は幾つかの液晶化合物の混合物に対応する。好ましくは、この製品とキラル物質、例えば４−シアノ−４’−（２−メチルブチル）ビフェニル、モノマー、例えば４，４’−ビスアクリロイルビフェニル及びＵＶ光開始剤、例えばベンゾインメチルエーテル（ＣＡＳ番号３５２４−６２−７）の混合物を使用する。この混合物を、電極と接触する「層」形態で適用する。液晶を含むポリマーフィルムを紫外線照射で硬化させると、液晶が取り込まれたポリマー網目構造が形成される。
【０１５０】
液晶が取り込まれたポリマー網目構造を含むポリマーフィルムは、３〜１００μｍ、好ましくは３〜６０μｍ、より一層好ましくは３〜２０μｍの厚さを有し得る。
【０１５１】
別の実施形態において、液晶の層は、液晶及びスペーサを含む。スペーサは、ガラスビーズ等のガラスから又は硬質プラスチックから形成され得て、例えばポリメチルメタクリレート（ＰＭＭＡ）から形成され得る。これらのスペーサは好ましくは透明であり、好ましくは液晶の層のマトリックスの光学指数に実質的に等しい光学指数を示す。スペーサは非導電性材料から形成される。
【０１５２】
液晶の層が必ずしも媒体又は網目構造を構成するポリマーを含むわけではない。液晶及びスペーサだけがこの層を構成し得る。液晶は（追加モノマーを伴うことなく）、電極と接触させて３〜６０μｍ、好ましくは３〜２０μｍの厚さで適用される。この実施形態に適した化合物が、例えば米国特許第３９６３３２４号明細書に記載されている。この実施形態において、液晶の層の厚さは１０〜３０μｍ、好ましくは１０〜２０μｍになり得る。
【０１５３】
機能性フィルムを備える可変光散乱系はグレージングの全面又はグレージングの少なくとも一部にわたって延び得る。可変光散乱系がグレージングの少なくとも一部にわたって延びる場合、面のこの部分はグレージングの層状素子を備える部分に対応し且つそれと整列している。したがって、可変光散乱系は、グレージングの主要外面１０、２０の一部だけ又は全体を考慮して形成され得る又は存在し得る。
【０１５４】
機能性フィルムは好ましくは２つの電極担持支持体で囲まれ、電極は機能性フィルムと直接接触している。
【０１５５】
各電極は少なくとも１つの導電層を備える。この導電層は透明導電性酸化物（ＴＣＯ）、すなわち良好な導電体であり且つ可視領域で透明である材料、例えばスズドープインジウム酸化物（ＩＴＯ）、アンチモンドープスズ酸化物、フッ素ドープスズ酸化物（ＳｎＯ2：Ｆ）又はアルミニウムドープ亜鉛酸化物（ＺｎＯ：Ａｌ）を含み得る。ＩＴＯをベースとした導電層は、約１００オーム／スクエアの抵抗を示す。
【０１５６】
導電層は、共役二重結合を含む有機化合物である透明導電性ポリマーも含み得て、その導電率は化学又は電気化学的ドーピングによって改善され得る。
【０１５７】
導電性酸化物又は導電性ポリマーをベースとしたこれらの導電層は好ましくは、機能性フィルム又は中間層上に直接、多数の公知の技法、例えば磁場支援型陰極スパッタリング、蒸着、ゾル−ゲル技法及び気相蒸着（ＣＶＤ）技法によって５０〜１００ｎｍオーダーの厚さで堆積される。
【０１５８】
導電層は金属層にもなり得て、好ましくはＴＣＣ（透明導電性コーティング）と称される薄層又は薄層の積層体になり得て、例えばＡｇ、Ａｌ、Ｐｄ、Ｃｕ、Ｐｄ、Ｐｔ、Ｉｎ、Ｍｏ又はＡｕから形成され、典型的には２０〜５０ｎｍの厚さを有する。
【０１５９】
導電層を備える電極はエネルギー供給源に接続される。エネルギー供給源は０〜１１０Ｖの電圧を使用する電力供給源になり得る。それぞれが入力配線を備える２本の電線が分離電極接続部に接続される。
【０１６０】
次に、電極の導電層を直接、支持体の面上に堆積することで電極担持支持体を形成し得る。
【０１６１】
支持体はガラスシート、例えば平坦なフロートガラスシート又はプラスチックインサートになり得る。プラスチックシートは特には、ＰＶＢ（ポリビニルブチラール）若しくはＥＶＡ（エチレン／ビニルアセテート）タイプの熱可塑性ポリマーから形成されるシート、ポリウレタン（ＰＵ）又はポリエチレンテレフタレート（ＰＥＴ）から形成されるシートになり得る。
【０１６２】
ＰＥＴシートは、例えば５０μｍ〜１ｍｍ、好ましくは１００〜５００μｍ、より好ましくは１５０〜２００μｍ、特には約１７５μｍの厚さを有する。
【０１６３】
したがって、可変光散乱系は、機能性フィルムを囲む導電性ＩＴＯ層で覆われたＰＥＴシートからそれぞれ構成される２つの電極担持支持体を備え得る。
【０１６４】
このタイプの可変光散乱系は、Saint-Gobain glass製のPriva-Lite（登録商標）グレージングで使用される。
【０１６５】
好ましくは、機能性フィルムの厚さが３０μｍ未満の場合、少なくとも３ｍｍの厚さを示すガラスシートが使用され、機能性フィルムの厚さが３０μｍ以上の場合、少なくとも２ｍｍの厚さを示すガラスシートが使用される。
【０１６６】
したがって、可変光散乱系は２つの電極担持支持体を備え得て、この電極担持支持体は、機能性フィルムを囲む、導電層を備える電極を備える平坦なフロートガラスシートを備える。
【０１６７】
層状素子は剛性グレージング又は可撓性フィルムになり得る。有利には、そのような可撓性フィルムの主要外面の１つに接着層を設け、この接着層はフィルム接着時に取り外すことが意図された保護ストリップで覆われる。したがって、可撓性フィルムの形態の層状素子は、既存の面、例えばグレージングの面に接着により追加することでその面に拡散反射特性を正透過特性を維持しながら付与するのに適している。
【０１６８】
本発明の好ましい実施形態において、下側外層は透明基板である。中心層は、第１外層のテクスチャ加工主要面上にその面と合致するように堆積される単層又は第１外層のテクスチャ加工主要面上にその面と合致するように連続的に堆積される層の積層体によって形成される。好ましくは、中心層は陰極スパッタリング、特には磁場支援型陰極スパッタリングにより堆積される。第２外層又は上側外層は、第１外層とは反対側の、中心層のテクスチャ加工主要面上に堆積されるゾル−ゲル層を備える。
【０１６９】
本発明の別の態様においては、１つ以上の上側の追加層を使用し得て、例えば熱成形性若しくは感圧プラスチックから形成されるインサート若しくはシート及び／又は透明基板又は対向基板である。プラスチックインサート又はシートをベースとする層はその場合、好ましくはゾル−ゲル層を備える層状素子の上側外層と好ましくは対向基板を備える追加層との間を繋ぐ又はその間に一体性を付与する積層インサートに対応する。
【０１７０】
本発明のグレージングは好ましくは：
ポリマー、ガラス等の２つの主要面が滑らかな透明基板及び熱成形性又は感圧プラスチックから形成されるインサートから選択される任意の少なくとも１つの下側の追加層と、
ポリマー、ガラス等の透明基板、熱成形性又は感圧プラスチックから形成されるインサート及び成形操作に適した最初は液体又はペースト状粘性状態の硬化性材料から選択される下側外層と、
透明材料、好ましくは誘電体から構成される薄層又は金属薄層を備える中心層と、
ゾル−ゲル層から選択される上側外層と、
ポリマー及びガラスから選択される、２つの主要面が滑らかな透明基板並びに熱成形性又は感圧プラスチックから形成されるインサートから選択される任意の少なくとも１つの上側の追加層、
との積層体を備える。
【０１７１】
本発明の代替の形態において、本発明のグレージングは：
粗ガラスから形成される透明基板から選択される下側外層と、中心層であって好ましくは薄層を備える中心層と、成形操作に適した最初は液体又はペースト状粘性状態の硬化性材料から選択される上側外層、好ましくはゾル−ゲル層とを備える層状素子と、
熱成形性又は感圧プラスチックから形成されるインサートと、
板ガラスから形成される透明基板であって、好ましくは少なくとも１つの反射防止コーティングを備える、透明基板、
との積層体を備える。
【０１７２】
この実施形態において、グレージングは熱成形性又は感圧性材料のインサートから選択される上側の追加層を備え、この上側の追加層上には透明ガラス基板から選択される別の上側の追加層が好ましくは重ねられる。
【０１７３】
本発明の別の代替の形態において、本発明のグレージングは：
層状素子と、
熱成形性又は感圧プラスチックから形成されるインサートと、
２つの電極担持支持体に囲まれた機能性フィルムを備える可変光散乱系であって、電極が機能性フィルムと直接接触している、可変光散乱系と、
熱成形性又は感圧プラスチックから形成されるインサートと、
好ましくは少なくとも１つの反射防止コーティングを備える板ガラスから形成される透明基板、
との積層体を備える。
【０１７４】
本発明の別の主題は、上述したような層状素子と可変光散乱系とを備えるグレージングの製造方法であり、以下の：
（Ａ）主要面の一方がテクスチャ加工されもう一方の主要面が滑らかな透明基板を第１外層又は下側外層として用意し、
中心層を下側外層のテクスチャ加工主要面上に堆積させ、中心層が下側外層の屈折率とは異なる屈折率を有する透明層、好ましくは誘電体層又は金属層である単層から形成される場合、中心層はテクスチャ加工主要面上にその面と合致するように堆積され、あるいは中心層が下側外層の屈折率とは異なる屈折率を有する少なくとも１つの透明層、好ましくは誘電体層又は金属層を備える積層体から形成される場合、中心層の層はテクスチャ加工主要面上にその面と合致するように連続的に堆積され、
第２外層又は上側外層を下側外層とは反対側の中心層のテクスチャ加工主要面上に形成し、下側及び上側外層は実質的に同じ屈折率を有する透明材料、好ましくは誘電体から構成され、
任意で少なくとも１つの追加の上側及び／又は下側層を層状素子の滑らかな主要外面上に形成する、層状素子を作製する段階と、
（Ｂ）任意で追加層を備える層状素子と可変光散乱系とを組み立てる段階、
とを含む。
【０１７５】
可変光散乱系及び層状素子はいずれの公知の手段でも組み立て得て、例えば機械的又は化学的手段である。特に、可変光散乱系及び層状素子を、積層インサートを使用して積層することで組み立てることが可能である。
【０１７６】
好ましくは、中心層の第１外層のテクスチャ加工主要面上へのその面に合致するような堆積又は中心層の複数の層のテクスチャ加工主要面上へのその面に合致するような連続的な堆積は、陰極スパッタリング、特には磁場支援型陰極スパッタリングによって行われる。
【０１７７】
本発明の一態様において、第２外層は、第１外層とは反対側の中心層のテクスチャ加工主要面上に、第１外層と実質的に同じ屈折率を有し且つ成形操作に適した最初は粘性状態の層を堆積することで形成される。したがって、第２外層は、例えば、最初は流体形態の光架橋性及び／若しくは光重合性材料の層を堆積し、続いてこの層に照射を行うことを含む方法又はゾル−ゲル法によって形成され得る。
【０１７８】
本発明の別の態様において、第２外層は、第１外層とは反対側の中心層のテクスチャ加工主要面に対して、第１外層と実質的に同じ屈折率を有するポリマー材料をベースとした層を位置決めし、次にポリマー材料をベースとしたこの層を圧縮及び／又は少なくともポリマー材料のガラス転移温度まで加熱することで中心層のテクスチャ加工主要面に合致させることで形成される。
【０１７９】
本発明の特徴及び利点は、例として挙げられたに過ぎない、添付の図面に関連した層状素子の幾つかの実施形態についての以下の説明から明らかとなる。
【図面の簡単な説明】
【０１８０】
【図１】図１は、プロジェクタと本発明のある実施形態による層状素子を備えるグレージングとを備える本発明の投影システムの概略横断面図である。
【図２】図２は、層状素子の第１の代替形態についての図１の特徴部Ｉの拡大図である。
【図３】図３は、層状素子の第２の代替形態についての図１の特徴部Ｉの拡大図である。
【図４】図４は、プロジェクタと本発明の好ましい実施形態による層状素子及び可変光散乱系を備えるグレージングとを備える本発明の投影システムの概略横断面図である。
【図５】図５は、プロジェクタと本発明の好ましい実施形態による層状素子及び可変光散乱系を備えるグレージングとを備える本発明の投影システムの概略横断面図である。
【図６】図６は、本発明のグレージングの製造方法の段階を示すスキームである。
【図７】図７は、本発明のグレージングの製造方法の段階を示すスキームである。
【図８】図８は、写真である。
【図９】図９は、写真である。
【発明を実施するための形態】
【０１８１】
図を分かり易くするために、図中の様々な層の相対的な厚さは正確には描かれていない。さらに、中心層の構成層又は各構成層の厚さにおける、テクスチャの傾斜に応じた考えられ得る変化は図には描かれておらず、厚さにおけるこの考えられ得る変化はテクスチャ加工接触面の平行関係に影響しないと理解される。これは、テクスチャの各所定の傾斜に関し、テクスチャ加工接触面は互いに平行だからである。
【０１８２】
図１には反射で動作させることが意図された投影システムが描かれ、この投影システムはプロジェクタＰと、層状素子１を備えるグレージング５とを備える。グレージングは、逆投影スクリーン（すなわちプロジェクタがグレージングの背後に位置し、見物人とプロジェクタとがグレージングによって隔てられる）としてではなく、投影スクリーン（すなわちプロジェクタＰ側に見物人が位置する）として使用される。
【０１８３】
グレージングは２つの主要外面１０、２０を備える。主要外面１０は、見物人に見える画像がプロジェクタによって投影されるグレージング面である。主要外面２０は、プロジェクタとは反対側のグレージング面である。グレージングを反射で動作する投影スクリーンとして使用していることから、見物人及びプロジェクタはグレージングの同じ側に位置する。
【０１８４】
層状素子１は２つの外層２、４を備え、これらは実質的に同じ屈折率ｎ２、ｎ４を有する透明材料から構成される。各外層２又は４はそれぞれ、層状素子の外側を向いた滑らかな主要面２Ａ又は４Ａ及び層状素子の内側を向いたテクスチャ加工主要面２Ｂ又は４Ｂを呈する。
【０１８５】
層状素子１の滑らかな外面２Ａ、４Ａは各面２Ａ、４Ａでの放射線の正透過、すなわち放射線の方向が変わることのない、外層への放射線の入射又は外層からの放射線の出射を可能にする。
【０１８６】
内面２Ｂ、４Ｂのテクスチャは互いに相補的である。図１からはっきりとわかるように、テクスチャ加工面２Ｂ、４Ｂは対向して位置決めされ、そのテクスチャは厳密に互いに平行な構成にある。層状素子１は、テクスチャ加工面２Ｂ、４Ｂの間に接触的に挿入された中心層３も備える。
【０１８７】
図２に示す代替の形態において、中心層３は単層であり、金属であるか又は外層２、４の屈折率とは異なる屈折率ｎ３を有し透明である透明材料から構成される。図３の代替の形態において、中心層３は幾つかの層３1、３2、・・・３kの透明な積層体から形成され、層３1〜３kの少なくとも１つは金属層又は外層２、４の屈折率とは異なる屈折率を有する透明層、好ましくは誘電体層である。好ましくは、少なくとも、積層体の両端に位置する２つの層３1、３kのそれぞれは金属層又は外層２、４の屈折率とは異なる屈折率ｎ３1又はｎ３kを有する透明層である。
【０１８８】
図１〜３において、Ｓ0は外層２と中心層３との間の接触面を示し、Ｓ1は中心層３と外層４との間の接触面を示す。さらに、図３において、Ｓ2〜Ｓkは面Ｓ0に最も近い接触面から順に中心層３の内部接触面を示す。
【０１８９】
図２の代替の形態において、中心層３が互いに平行なテクスチャ加工面２Ｂ、４Ｂの間に接触的に配置される結果、外層２と中心層３との間の接触面Ｓ0はテクスチャ加工され、また中心層３と外層４との間の接触面Ｓ1に対して平行となる。言い換えると、中心層３は、その全体にわたって、接触面Ｓ0、Ｓ1に対して垂直に測定した場合に均一な厚さｅ３を示すテクスチャ加工層である。
【０１９０】
図３の代替の形態において、中心層３の構成積層体の２つの隣接する層の間の各接触面Ｓ2、・・・Ｓkはテクスチャ加工され且つ外層２、４と中心層３との間の接触面Ｓ0、Ｓ1に対して厳密に平行である。したがって、素子１の隣接する層の間の全ての接触面Ｓ0、Ｓ1、・・・・Ｓk（隣接する層は一方においては性質が異なり、透明で屈折率（ｎ２、ｎ４、ｎ３、ｎ３1、ｎ３2、・・・又はｎ３k）を有する又は金属であり、他方では透明で異なる屈折率を有する）はテクスチャ加工され且つ互いに平行である。特に、中心層３の構成積層体の各層３1、３2、・・・３kは少なくとも局所的に、接触面Ｓ0、Ｓ1、・・・Ｓkに対して垂直に測定した場合に均一な厚さｅ３1、ｅ３2、・・・ｅ３kを示す。
【０１９１】
図１に示すように、層状素子１の各接触面Ｓ0、Ｓ1又はＳ0、Ｓ1、・・・・Ｓkのテクスチャは、接触面の全般面Пに対する複数の凹凸パターンによって形成される。好ましくは、各テクスチャ加工接触面Ｓ0、Ｓ1又はＳ0、Ｓ1、・・・・Ｓkのパターンの平均高さは１μｍ〜１ｍｍである。各テクスチャ加工接触面のパターンの平均高さは算術平均
【数２】
0006309946.tif 000003
であると定義され、距離ｙiは図１で図示されるように面の各パターンについてピークと面Пとの間で測定される。
【０１９２】
本発明の一態様において、中心層３の構成層又は各構成層の厚さｅ３又はｅ３1、ｅ３2、・・・ｅ３kは層状素子の各テクスチャ加工接触面Ｓ0、Ｓ1又はＳ0、Ｓ1、・・・・Ｓkのパターンの平均高さより小さい。この状態は、中心層３のある層への放射線の入射界面とこの層からの放射線の出射界面とが平行である確率を上昇させ、ひいては層状素子１を通る放射線の正透過率を上昇させるために重要である。これら各種の層を見やすくするために、この状態は図において厳密には描かれていない。
【０１９３】
好ましくは、中心層３の構成層又は各構成層の厚さｅ３又はｅ３1、ｅ３2、・・・ｅ３kは層状素子の各テクスチャ加工接触面のパターンの平均高さの１／４未満である。実際には、中心層３が薄層又は薄層の積層体である場合、中心層３の各層の厚さｅ３又はｅ３1、ｅ３2、・・・ｅ３kは、層状素子の各テクスチャ加工接触面のパターンの平均高さの１／１０以下のオーダーである。
【０１９４】
図１は、外層２側で層状素子１に入射する放射線の経路を示す。入射光Ｒiは外層２に所定の入射角θで到達する。図１に示すように、入射光Ｒiは外層２と中心層３との間の接触面Ｓ0に到達すると金属面によって又はそれぞれ、外層２と中心層３との間（図２の代替の形態）及び外層２と層３1との間（図３の代替の形態）の接触面で屈折率における違いの結果として反射される。接触面Ｓ0はテクスチャ加工されているため、反射は複数の方向Ｒrで起きる。したがって、層状素子１による放射線の反射は拡散反射である。
【０１９５】
また、入射放射線の一部は中心層３において屈折する。図２の代替の形態において、接触面Ｓ0、Ｓ1は互いに平行であり、これはスネル−デカルトの法則に従って、ｎ２．ｓｉｎ（θ）＝ｎ４．ｓｉｎ（θ’）であることを含意し、θは外層２から来る中心層３での放射線の入射角であり、θ’は中心層３から来る外層４における放射線の屈折角である。図３の代替の形態において、接触面Ｓ0、Ｓ1、・・・・Ｓkは互いに平行であるため、スネル−デカルトの法則から得られる関係ｎ２．ｓｉｎ（θ）＝ｎ４．ｓｉｎ（θ’）はそのままである。結果的に、両方の代替の形態において、２つの外層の屈折率ｎ２、ｎ４は実質的に等しいため、層状素子を透過する光線Ｒtは層状素子上での入射角θに等しい透過角θ’で透過する。したがって、層状素子１による放射線の透過は正透過である。
【０１９６】
同様に、両方の代替の形態において、上と同じ理由から、外層４側の層状素子１への入射放射線は拡散反射され、また層状素子を正透過する。
【０１９７】
有利には、層状素子１は、グレージング１０、２０のその滑らかな主要外面の少なくとも一方の上に反射防止コーティング６を備える。図１のグレージングは追加層を備えていない。その結果、グレージング１０、２０の主要外面は層状素子の主要外面２Ａ、４Ａと一致する。好ましくは、反射防止コーティング６を、放射線を受けることが意図されたグレージングの各主要外面上に設ける。図１の例においては、グレージングの面２０にのみ反射防止コーティング６が設けられているが、これは面２０がプロジェクタとは反対側のグレージングの面に関わるからである。
【０１９８】
上述したように、反射防止コーティング６は、空気と外層との間の界面での放射線の反射の軽減を可能にするいずれのタイプのものにもなり得る。反射防止コーティングは、特には、空気の屈折率と外層の屈折率との間の屈折率を有する層、干渉フィルタとして作用する薄層の積層体又は勾配する屈折率を示す薄層の積層体になり得る。
【０１９９】
この例において、サテン仕上げのガラス上にマグネトロンで堆積される中心層は拡散反射をもたらし、画像の直接投影を可能にするが、ゾル−ゲル平坦化層は透過におけるグレージングの透明性の維持を可能にする。反射防止処理を施した背面ガラスプレートの追加はグレージング内での多重反射の軽減、ひいては投影される画像の質の向上を可能にする。
【０２００】
図４及び５は本発明の２つの別の投影システムを図示したものであり、グレージング５には電気的に制御可能な可変光散乱系７が組み込まれ、この可変光散乱系７は透明状態と散乱状態との間で切り替わる。「ＯＦＦ」状態では散乱主要外面を備えるグレージングが得られ、改善された直接投影が可能となり、これはマグネトロン層上での拡散反射が液晶フィルム上での拡散反射に加わるからである。「ＯＮ」状態では透明主要外面を備えるグレージングが得られ、その機能は可変光散乱系がないものと同じである。
【０２０１】
図４に図示のグレージングは：
粗ガラスから形成される基板を備える下側外層２と、銀又はステンレススチールをベースとした薄層を備える中心層３と、ゾル−ゲル層から構成される上側外層４とを備える層状素子と、
熱成形性又は感圧プラスチックから形成されるインサートから構成される追加層１２ａと、
下側の電極担持支持体９及び上側の電極担持支持体１１の２つの電極担持支持体に囲まれた機能性フィルム１６を備える可変光散乱系７であって、電極が機能性フィルム１６と直接接触している、可変光散乱系７と、
熱成形性又は感圧プラスチックから形成されるインサートから構成される上側の追加層１２ａと、
反射防止コーティング６を備える板ガラスから形成される透明基板から構成される別の上側の追加層１２ｂ、
との積層体を備える。
【０２０２】
電極担持支持体はポリエチレンテレフタレートから構成されるプラスチックから形成されるシートであり、その上に電極が堆積されている。電極は、例えばインジウムスズ酸化物（ＩＴＯ）から形成される、厚さ約２０〜４００ｎｍを有する導電層になり得る。ＩＴＯ層は５〜３００オーム／スクエアの表面電気抵抗を有する。ＩＴＯから形成される層の代わりに、同じ目的のために、同等の表面抵抗を有する他の導電性酸化物層又は銀の層も使用可能である。それから、機能性フィルム１６は液晶の層から構成される。
【０２０３】
それから、図５に図示のグレージングは層状素子が電極担持支持体の役割を果たす実施形態である。図５に図示のグレージングは：
粗ガラスから形成される基板を備える下側外層２と、好ましくは金属層である薄層を備える中心層３と、１Ω．ｃｍ未満の抵抗率を示すスズ亜鉛酸化物から構成される上側外層４とを備える層状素子１と、
機能性フィルム１６と、
上側の電極担持支持体１１と、
熱成形性又は感圧プラスチックから形成されるインサートから構成される上側の追加層１２ａと、
反射防止コーティング６を備える板ガラスから形成される透明基板から構成される別の上側の追加層１２ｂ、
との積層体を備える。
【０２０４】
層状素子の下側外層２は、中心層及び上側外層から構成されるアセンブリにとっての支持体の役割を果たし、このアセンブリ自身は電極の役割を果たす。したがって、層状素子１は下側の電極担持支持体を構成している。
【０２０５】
可変光散乱系７は、層状素子１から構成される下側の電極担持支持体９及び上側の電極担持支持体１１の２つの電極担持支持体に囲まれた、電極と直接接触している機能性フィルム１６を備える。
【０２０６】
本発明のグレージングの製造方法の例を、図６を参照しながら後述する。この方法では、中心層３を、層状素子１の外層２を形成している剛性又は可撓性透明基板のテクスチャ加工面２Ｂ上にその面と合致するように堆積する。テクスチャ加工面２Ｂとは反対側の、この基板の主要面２Ａは滑らかである。この基板２は特にはSatinovo（登録商標）、Albarino（登録商標）又はMasterglass（登録商標）タイプのテクスチャ加工ガラス基板になり得る。代替の形態において、基板２は、例えばポリメチルメタクリレート又はポリカーボネートタイプの剛性又は可撓性のポリマー材料をベースとした基板になり得る。
【０２０７】
単層であろうと幾つかの層の積層体によって形成されるものであろうと、テクスチャ加工面２Ｂ上へのその面と合致するような中心層３の堆積は特には、好ましくは、真空下、磁場支援型陰極スパッタリング（「マグネトロン陰極」スパッタリング）によって行われる。この技法は、基板２のテクスチャ加工面２Ｂ上に、単層をテクスチャ加工面２Ｂと合致するように堆積する又は積層体の異なる複数の層をテクスチャ加工面２Ｂと合致するように連続的に堆積することを可能にする。積層体の異なる複数の層は特には透明薄層、好ましくは誘電体層、特にはＳｉ3Ｎ4、ＳｎＯ2、ＺｎＯ、ＺｒＯ2、ＳｎＺｎＯx、ＡｌＮ、ＮｂＯ、ＮｂＮ、ＴｉＯ2、ＳｉＯ2、Ａｌ2Ｏ3、ＭｇＦ2若しくはＡｌＦ3の層又は金属薄層、特には銀、金、チタン、ニオブ、ケイ素、アルミニウム、ニッケル−クロム合金（ＮｉＣｒ）若しくはこれらの金属の合金の層になり得る。
【０２０８】
図６の方法において、層状素子１の第２外層４は、中心層３を、基板２の屈折率に実質的に等しい屈折率を有する透明ゾル−ゲル層で覆うことで形成され得て、ゾル−ゲル層は最初は成形操作に適した粘性状態で用意され且つ硬化性である。この層は、液体又はペースト状粘性状態において、中心層３の、基板２とは反対側の面３Ｂのテクスチャに調和する。したがって、層４の硬化状態において、中心層３と外層４との間の接触面Ｓ1が確かにテクスチャ加工され且つ中心層３と外層２との間の接触面Ｓ0に対して平行となることが保証される。
【０２０９】
図６の層状素子１の外層４は、中心層３のテクスチャ加工面上にゾル−ゲル法によって堆積されるゾル−ゲル層である。
【０２１０】
そして、１つ以上の追加層１２を、層状素子の上に形成し得る。この場合、この又はこれらの追加層は好ましくは板ガラス基板、プラスチックインサート又はインサートと板ガラス基板とを重ね合わせたものである。
【０２１１】
層状素子の外層がゾル−ゲル層から得られた場合、ある種の不整がこの層の滑らかな主要外面上に存在し得る。これらの不整を補正するために、積層ＰＶＢ又はＥＶＡインサートを層状素子の滑らかな主要外面上に位置決めすることで、このゾル−ゲル層上に追加層１２を形成するのが有利となり得る。追加層１２は、この場合、ゾル−ゲル法で得られる層状素子の外層と実質的に同じ屈折率を有する。
【０２１２】
追加層は透明基板、例えば板ガラスにもなり得る。この場合、追加層は対向基板として使用される。したがって、ゾル−ゲル層は、中心層が設けられた下側外層と対向基板との間に一体性をもたらす。
【０２１３】
上側の追加層としての透明基板の使用は、この上側の追加層のすぐ下の追加層が積層ポリマーインサートによって形成される場合に特に役立つ。
【０２１４】
積層ＰＶＢ又はＥＶＡインサートによって形成される第１追加層１２は層状素子の上側外面上に位置決めされ得て、板ガラス基板から構成される第２追加層１２を、このインサート上に位置決めし得る。
【０２１５】
この構成において、これらの追加層は層状素子と、慣用の積層法によって結合される。この工程において、積層ポリマーインサート及び基板は層状素子の上側主要外面から開始して連続的に位置決めされ、次に例えばプレス機又は炉内での、圧縮及び／又は少なくとも積層ポリマーインサートのガラス転移温度までの加熱が、このようにして形成された積層構造体に施される。
【０２１６】
この積層工程中、インサートが層状素子のすぐ上に位置する上側の追加層を形成し、層状素子の上側層がゾル−ゲル層である場合、インサートはゾル−ゲル層の上面及び板ガラス基板の下面の両方に合致する。
【０２１７】
図７に図示の工程において、層状素子１は総厚が２００〜３００μｍオーダーの可撓性フィルムである。層状素子は、
可撓性ポリマーフィルムによって形成される下側の追加層１２と、
可撓性フィルムの滑らかな主要面の一方に対する紫外線の作用下で光架橋及び／又は光重合し得る材料から形成される外層２、
中心層３と、
層状素子１の第２外層４を形成するための、厚さ約１５μｍを有するゾル−ゲル層との重ね合わせによって形成される。
【０２１８】
下側の追加層を形成する可撓性フィルムは、厚さ１００μｍを有するポリエチレンテレフタレート（ＰＥＴ）のフィルムになり得て、外層２は、JSR Corporationが販売するＫＺ６６６１タイプの、厚さ約１０μｍを有する紫外線下で硬化性の樹脂の層になり得る。可撓性フィルム及び層２は共に５５０ｎｍで１．６５オーダーの実質的に同じ屈折率を有する。硬化状態において、樹脂の層はＰＥＴとの良好な接着性を示す。
【０２１９】
樹脂の層２は可撓性フィルムに、フィルム１２とは反対側のその面２Ｂへのテクスチャ加工を可能にする粘度でもって適用される。図７に図示されるように、面２Ｂのテクスチャ加工は、層２に形成するテクスチャに相補的なテクスチャをその面に有するロール１３を使用して行い得る。テクスチャが一旦形成されたら、重ね合わせた可撓性フィルム及び樹脂の層２に、図７において矢印で示すように紫外線を照射し、この紫外線照射が、テクスチャ加工を施した樹脂の層２の固化及び可撓性フィルムと樹脂の層２との組み立てを可能にする。
【０２２０】
続いて、外層２の屈折率とは異なる屈折率を有する中心層３を、マグネトロン陰極スパッタリングでテクスチャ加工面２Ｂ上にその面と合致するように堆積する。この中心層は、上述したように、単層になり得る又は積層体によって形成され得る。中心層３は例えば５５〜６５ｎｍオーダーの厚さ、すなわち６０ｎｍオーダーの厚さ及び５５０ｎｍで２．４５の屈折率を有するＴｉＯ2の層になり得る。
【０２２１】
続いてゾル−ゲル層を中心層３上に堆積させることで層状素子１の第２外層４を形成する。この第２外層４は、外層２とは反対側の、中心層３のテクスチャ加工面３Ｂに合致する。
【０２２２】
接着後に除去することが意図された保護ストリップ（ライナ）１５で覆われた接着剤の層１４を、層状素子１の層４の外面４Ａに追加し得る。したがって、層状素子１はある面、例えばグレージングの面に接着により簡単に追加できてその面に拡散反射特性を付与する可撓性フィルムの形態で用意される。図７の例において、接着剤の層１４及び保護ストリップ１５は、層４の外面４Ａに追加される。入射放射線を受けることが意図された層２の外面２Ａ自身には、反射防止コーティングを設ける。
【０２２３】
特に有利には、図７で示唆されるように、この工程の異なる段階は連続的に１つの同じ製造ライン上で行われ得る。
【０２２４】
図６、７において、層状素子１の反射防止コーティングの導入は描かれていない。これらの図に描かれている各工程において、反射防止コーティングを層状素子の組み立て前又は組み立て後に外層の滑らかな面２Ａ及び／又は４Ａに導入し得て、どちらであっても違いはないことに留意すべきである。
【０２２５】
本発明は、説明、図示した例に限定されない。特に、図７の例のように層状素子が可撓性フィルムである場合、ポリマーフィルムをベースとして形成される（例えば、ＰＥＴフィルムをベースとする）各外層の厚さは１０μｍより大きく、特には１０μｍ〜１ｍｍオーダーになり得る。
【０２２６】
さらに、図７の例における第１外層２のテクスチャは、ポリマーフィルム上に堆積される硬化性樹脂の層に頼らずとも直接、ポリマーフィルムを熱エンボス加工、特にはテクスチャ加工ロールを使用してロール掛け又はパンチを使用してプレス加工することで得られる。
【０２２７】
ガラス基板の代わりのプラスチック基板でも、同様の構造が考えられる。
【０２２８】
反射で動作する投影スクリーンとしてのこのように定義されたグレージングの使用は、コントラスト及び／又は明るさ及び／又は画角の向上を可能にする。
【０２２９】
本発明のグレージングは特には建築物における（２つの部屋間又はある空間における）内部仕切りとして使用され得る。より具体的には、本発明のグレージングは、プレゼンテーションを投影するための会議室の内部仕切りとして特に有用である。透明状態と散乱状態とで切り替え可能である。
【０２３０】
本発明のグレージングはグレージングのいずれの公知の用途にも使用可能であり、例えば車両、建築物、街路備品、室内調度品、照明、表示スクリーン及び同種のものである。したがって、本発明の透明グレージングは、ファサード、窓、会議室又は陳列棚用の投影スクリーンとして使用され得る内部仕切りとして使用され得る。グレージングはまた、博物館での分類展示又は宣伝補助材として販売小売店での宣伝に使用され得る。
【０２３１】
グレージングはまた、特には、面にその透過特性を保持しつつ拡散反射特性を付与するための、面に追加可能は可撓性ポリマー系フィルムになり得る。
【０２３２】
強い拡散反射を有する本発明のグレージングを、ヘッドアップディスプレイ（ＨＵＤ）システムに使用し得る。公知のやり方において、特には航空機のコックピット及び列車、また今日では個人用の自動車両（自動車両、トラック及び同種のもの）で使用されるＨＵＤシステムは、グレージング、概して車両の風防に投影される情報の表示を可能にし、情報は運転者又は観察者に向かって反射される。これらのシステムは車両の運転者への、運転者が車両前方の視界から目を離すことのない情報伝達を可能にし、これによって安全性が大きく上昇する。
【０２３３】
本発明の一態様において、層状素子はＨＵＤシステムにグレージングとして組み込まれ、このグレージング上に情報が投影される。本発明の別の態様において、層状素子はＨＵＤシステムのグレージング（特には風防）の主要面に追加される可撓性フィルムであり、情報は可撓性フィルム側でグレージングに投影される。これらのケースの両方において、強い拡散反射が、層状素子において放射線が当たる第１テクスチャ加工接触面で起き、これが虚像の良好な見え方を可能にし、同時にグレージングを通した正透過が保持され、これがグレージングを通した鮮明な視界を保証する。
【０２３４】
最先端のＨＵＤシステムにおいては、虚像が、２枚のガラスシート及び１つのプラスチックインサートから形成される積層構造を有するグレージング（特には風防）に情報を投影することで得られることは注目に値する。これら既存のシステムの１つの欠点は、その時、運転者にはグレージングの表面でコンパートメントの内側に向かって反射された第１の画像とグレージングの外面からの反射による第２の画像との二重像が見え、これら２つの画像が互いに若干ずれている点である。このずれが情報の見え方を阻害し得る。
【０２３５】
本発明は、この問題の解決を可能にする。これは、層状素子をＨＵＤシステムにグレージングとして又は投影ソースからの放射線を受けるグレージングの主要面に追加される可撓性フィルムとして組み込む場合に、層状素子において放射線が当たる第１テクスチャ加工接触面での拡散反射が、空気と接触している外面での反射より際立って大きくなり得るからである。したがって、層状素子の第１テクスチャ加工接触面での反射が優先され、二重反射が制限される。
【実施例】
【０２３６】
Ｉ．使用材料
１．層状素子
これらの試験は：
下側外層：Satinovo（登録商標）ガラス基板と、
中心層：マグネトロンで堆積される銀又はステンレススチールをベースとした層と、
上側外層：ゾル−ゲル層、
との積層体を備える層状素子について行われた。
【０２３７】
層状素子の下側外層として使用される基板は、Saint-Gobanが販売するSatinovo（登録商標）透明粗ガラスサテン仕上げガラス基板である。厚さ６ｍｍのこれらの基板は、酸処理によって得られるテクスチャ加工主要面を備える。これらの基板はこのようにして層状素子の下側外層として使用される。Satinovo（登録商標）ガラスのテクスチャ加工面の粗さＲａに対応する、この下側外層に施されたテクスチャ加工のパターンの平均高さは１〜５μｍである。その屈折率は１．５１８であり、そのＰＶ（ピークから谷）は１２〜１７μｍである。
【０２３８】
中心層は、Satinovo（登録商標）基板のテクスチャ加工面上にその面と合致するようにマグネトロン堆積によって堆積される層又は積層体であり、
厚さ６ｍｍの板ガラス基板上に堆積した場合に光透過率ＬＴ６９％を示す、Saint-Gobainの品番ＫＮ１６９の銀をベースとした層を備える積層体、
厚さ６ｍｍの板ガラス基板上に堆積した場合に光透過率ＬＴ３２％を示す、Saint-Gobainの品番ＳＳ１３２のステンレススチールをベースとした層を備える積層体
に対応する。
【０２３９】
ゾル−ゲル層は、金属酸化物の粒子を分散させたシリカ系マトリックスを備える。ゾル−ゲル層は屈折率１．５１及び厚さ約１５μｍを示す。
【０２４０】
２．可変散乱系（ＶＳＳ）
可変散乱系（ＶＳＳ１）は、電極担持支持体として、ＩＴＯ層で覆われ且つ機能性フィルム、すなわち液晶の液滴を含む媒体を囲む２枚のポリエチレンテレフタレートシートを備える。この可変散乱系は現在、Saint-Gobain Glass製のPriva-Lite（登録商標）グレージングで使用されている。ネマチック液晶の液体エマルションを含む機能性フィルムは、厚さ約１０〜３０μｍ（好ましくは２０〜２５μｍ）を有する。ＰＥＴシートは厚さ約１７５μｍを有する。２つの電極は、抵抗約１００オーム／スクエアを有するＩＴＯ（スズドープインジウム酸化物）から構成される。
【０２４１】
３．他の基板
他の基板（又は背面ガラスプレート）を使用して本発明のグレージングを形成し得る。これらの基板を、例えば、ＰＶＢ又はＥＶＡから形成されるインサートを使用して積層し得る。基板としては板ガラス、例えばPlanilux（登録商標）又はDiamant（登録商標）ガラスを挙げ得る。
【０２４２】
金属酸化物の層の真空陰極スパッタリングでの堆積で得られる１つ以上の反射防止コーティングを備える板ガラスの使用も可能である。反射防止効果は、ガラスの各外面に層を堆積することで得られる。そのようなガラスは例えば、Saint-Gobainから商品名Visionlite（登録商標）として販売されている。
【０２４３】
ＩＩ．中心層の性質の影響
この試験では、中心層の性質だけが異なる本発明の２つのグレージングを比較する。本発明の投影スクリーンとして使用されるグレージングを比較するために、画像を直接投影で投影する場合のグレージングの明るさ及び透明度を複数の人間が目視で判定した。判定者が評価する投影画像は、図９の写真Ｚの対象を形成している。画像は、反射防止コーティングを備えていないグレージング側に投影された。判定者は、グレージングに投影された各画像について、「−−」不良、「−」普通、「０」正しい、「＋」良好、「＋＋」極めて良好から選択される判定指標を割り当てた。
【０２４４】
【表１】
0006309946.tif 000004
【０２４５】
写真Ｚはそれぞれ左側のＫＮ１６９層を設けた及び右側のＳＳ１３２層を設けた拡散反射グレージング上への投影を表す。実施例１のグレージングの透明度は高いが、投影画像の明るさは低い。対照的に、実施例２のグレージングの透明度は低いが、投影画像の明るさは高い。これら２つの実施例に関して、コントラスト及び画角は良好である。
【０２４６】
この実施例は、中心層の選択、より具体的にはその反射特性の選択を、望ましい用途及び望ましいレンダリングに合わせて調節しなくてはならないことを例証している。投影室における周辺光の場合、中心層の特性を変化させることによって、グレージングの透明度と投影画像の明るさとの間でバランスを取り得る。
【０２４７】
ＩＩＩ．拡散特性を有する透明素子を備えるグレージング
本発明の実施例が、積層インサートにより、以下の積層体：拡散反射特性を有する定格透明素子（ゾル−ゲル層）／可変光散乱系／Vision-Lite（登録商標）ガラスの積層によって行われた。
【０２４８】
比較例が、積層インサートにより、以下の積層体：板ガラス基板／可変光散乱系／Vision-lite（登録商標）ガラスの積層により行われた。
【０２４９】
本発明の投影スクリーンとして使用されるグレージングの優れた質を示すために、画像を直接投影で投影した場合（すなわち、観察者とプロジェクタはグレージングの同じ側に位置している）のグレージングの明るさ及びコントラストを複数の人間が目視で判定した。判定者が評価する各投影画像は、写真の対象を形成している。これらの写真を図８にまとめてある。画像は、反射防止コーティングを備えていないグレージング側に投影された。
【０２５０】
【表２】
0006309946.tif 000005
【０２５１】
判定者は、グレージングに投影された各画像について、「−−」不良、「−」普通、「０」正しい、「＋」良好、「＋＋」極めて良好から選択される判定指標を割り当てた。グレージング、評価条件及び判定者による判定並びに対応する写真の参照符を下の表にまとめる。
【０２５２】
【表３】
0006309946.tif 000006
【０２５３】
写真Ａ、Ｂ、Ｃ、Ｄ、Ｅ、Ｆは、可変光散乱系がＯＮの状態、すなわち透明状態で撮影された。透明状態では、可変光散乱系だけを備えるグレージングが画角４５°では使用不可能であることが判明した（写真Ｄ）。観察角度が増大すると、スクリーンの明るさが大きく低下する。比較すると、追加で少なくとも可変光散乱系及び、実施例の場合、反射防止層を備えるグレージングは、４５°オーダーの画角に関して画像の質における際立った向上を可能にする（写真Ｅ、Ｆ）。
【０２５４】
写真Ｇ、Ｈ、Ｉ、Ｊ、Ｋ、Ｌは、可変光散乱系がＯＦＦの状態、すなわち散乱状態で撮影された。正面での明るさにおける向上が観察される（写真Ｇ、Ｈ、Ｉ）。他方で、散乱状態において、可変光散乱系だけを備えるグレージングの質は、画角４５°について凡庸である（写真Ｊ）。投影におけるこのようなスクリーンの画角は、たとえ散乱状態であっても大きく低下しスクリーンは使用不可能となる。比較すると、少なくとも可変光散乱系及び、実施例のケースにおいて、反射防止層を追加で備えるグレージングは、広い画角にわたって画像の質における際立った向上を可能にする（写真Ｋ、Ｌ）。結果的に、直接投影の場合の画角は、Satinovo（登録商標）ガラス上のマグネトロン層の等方散乱反射の結果として、本発明のグレージングで改善される。
【０２５５】
そして、実施例３、４は本質的に中心層の選択において異なる。それぞれ同じ中心層を有する（ＫＮ１６９、ＳＳ１３２）実施例１、２と同じ傾向が明るさ及びコントラストに関して観察される。
【０２５６】
ＩＶ．コントラストの分析
コントラストの測定を、本発明の投影スクリーンを試験するために、特定の照度条件下で行った。投影室を照らさない場合（「ＯＦＦ」環境）、平均照度は１ルクスであり、投影室を照らす場合（「ＯＮ」環境）、平均照度は１９５ルクスである。
【０２５７】
輝度測定を、Konica-Minolta（登録商標）LS-110輝度計を使用してグレージングの面で行う。画像投影を、Canon（登録商標）XEED SX80ビデオプロジェクタ（明るさ、３０００ルーメン、コントラスト９００：１）を使用して行う。
【０２５８】
素子の配置は以下の通りである。ビデオプロジェクタはスクリーンから１．５ｍの位置にある。観察者及び写真撮影装置はスクリーンから２ｍの位置にある。
【０２５９】
この試験は、投影スクリーンとしてのグレージングのコントラストの測定を可能にする。コントラストは、プロジェクタが白色画像を表示した時に測定される輝度（Ｌｗ）対プロジェクタが暗画像を表示した時に測定される輝度（Ｌｂ）の比であると定義される。
【０２６０】
散乱状態（ＯＦＦグレージング）又は透明状態（ＯＮグレージング）にあるスクリーンで行われた輝度の測定を下の表にまとめた。
【０２６１】
完全に透明なグレージング上でコントラストを測定すると値は１である。
【０２６２】
【表４】
0006309946.tif 000007
【０２６３】
これらの試験は、透明状態において、可変光散乱系だけを備えるグレージングは画角４５°で使用不可能であることを裏付けている。層状素子の存在は、画角４５°の場合、全てのケースについて、コントラストにおける３５％を超える上昇を可能にする。
【０２６４】
散乱状態において、可変光散乱系だけを備えるグレージングの画角４５°での質は凡庸である（コントラスト１．７）。比較すると、本発明のグレージングは、広い画角にわたって、画像の質における際立った向上を可能にする。室内が明るい場合、コントラストにおける改善率は特には１００％であり、室内が暗い場合、コントラストにおける改善率は２１４％である。
本発明の態様としては、以下を挙げることができる：
《態様１》
投影又は逆投影スクリーンとして使用される２つの主要外面（１０、２０）を備えるグレージング（５）及びプロジェクタが用いられ、前記プロジェクタで、見物人に見える画像を、前記グレージングの上記面の一方に投影することを含む、投影又は逆投影方法であって、
前記グレージングが、２つの滑らかな主要外面（２Ａ、４Ａ）を有する透明層状素子（１）を備えることを特徴とし、前記透明層状素子（１）が、
前記層状素子の２つの主要外面（２Ａ、４Ａ）を形成し且つ透明材料、好ましくは誘電体から構成される、実質的に同じ屈折率（ｎ２、ｎ４）を有する２つの外層（２、４）と、
前記外層の屈折率とは異なる屈折率（ｎ３）を有する透明層、好ましくは誘電体層、若しくは金属層である単層によって、又は少なくとも１つの、前記外層の屈折率とは異なる屈折率（ｎ３1、ｎ３2、・・・又はｎ３k）を有する透明層、好ましくは誘電体層、若しくは金属層を備える積層体（３1、３2、・・・３k）によって形成される、前記外層の間に挿入される中心層（３）とを備え、
一方が透明で屈折率（ｎ２、ｎ４、ｎ３、ｎ３1、ｎ３2、・・・又はｎ３k）を有し且つもう一方が金属であるか、又は両方が異なる屈折率を有する透明層である、前記層状素子の２つの隣接する層の間の各接触面（Ｓ0、Ｓ1、・・・Ｓk）が、テクスチャ加工され、並びに前記各接触面が、一方が透明で屈折率（ｎ２、ｎ４、ｎ３、ｎ３1、ｎ３2、・・・又はｎ３k）を有し且つもう一方が金属であるか、又は両方が異なる屈折率を有する透明層である、２つの隣接する層の間の他のテクスチャ加工接触面に平行であることを特徴とする、
投影又は逆投影方法。
《態様２》
前記グレージングが、少なくとも１つの反射防止コーティングをさらに備えることを特徴とする、態様１に記載の投影又は逆投影方法。
《態様３》
前記グレージングが、前記プロジェクタとは反対側の、空気と前記グレージングの主要外面を形成する層の構成材料との間の界面に、少なくとも１つの反射防止コーティングを備えることを特徴とする、態様２に記載の投影又は逆投影方法。
《態様４》
前記グレージングが、透明状態と散乱状態との間で切り替え可能な機能性フィルムを備える可変光散乱系をさらに備えることを特徴とする、態様１〜３のいずれか一つに記載の投影又は逆投影方法。
《態様５》
前記可変光散乱系が電気的に制御可能であり且つ２つの電極担持支持体に囲まれた機能性フィルムを備えており、前記電極が前記機能性フィルムと直接接触していることを特徴とする、態様４に記載の投影又は逆投影方法。
《態様６》
前記透明層状素子が前記可変光散乱系の電極担持支持体の１つを構成し、下側の前記外層が支持体の役割を果たし、前記中心層及び上側の前記外層から構成されるアセンブリが電極の役割を果たすことを特徴とする、態様５に記載の投影又は逆投影方法。
《態様７》
前記可変光散乱系が、前記グレージングの主要外面（１０、２０）の一部だけに面して形成されることを特徴とする、態様４〜６のいずれか一つに記載の投影又は逆投影方法。
《態様８》
前記層状素子が、前記グレージングの主要外面（１０、２０）の一部だけに面して形成されることを特徴とする、態様１〜７のいずれか一つに記載の投影又は逆投影方法。
《態様９》
前記層状素子が可撓性フィルムであることを特徴とする、態様１〜８のいずれか一つに記載の投影又は逆投影方法。
《態様１０》
前記グレージングが、前記層状素子及び／又は任意で前記可変光散乱系の、上又は下に位置決めされた少なくとも１つの追加層をさらに備え、前記追加層が、好ましくは
ポリマー、ガラス又はセラミックから選択される、２つの滑らかな主要面を備える透明基板、
成形操作に適した最初は液体又はペースト状粘性状態の硬化性材料、
熱成形性又は感圧プラスチックから形成されるインサート、
から選択されることを特徴とする、態様１〜９のいずれか一つに記載の投影又は逆投影方法。
《態様１１》
前記グレージングが、
粗ガラスから形成される透明基板から選択される下側の外層と、中心層であって好ましくは薄層を備える中心層と、成形操作に適した最初は液体又はペースト状粘性状態の硬化性材料から選択される上側の外層、好ましくはゾル−ゲル層とを備える層状素子と、
熱成形性又は感圧プラスチックから形成されるインサートと、
板ガラスから形成される透明基板であって、好ましくは少なくとも１つの反射防止コーティングを備える、透明基板、
とを備えることを特徴とする、態様１〜１０のいずれか一つに記載の投影又は逆投影方法。
《態様１２》
前記グレージングが、
層状素子と、
熱成形性又は感圧プラスチックから形成されるインサートと、
２つの電極担持支持体に囲まれた機能性フィルムを備える可変光散乱系であって、前記電極が前記機能性フィルムと直接接触している、可変光散乱系と、
熱成形性又は感圧プラスチックから形成されるインサートと、
板ガラスから形成される透明基板であって、好ましくは少なくとも１つの反射防止コーティングを備える、透明基板、
とを備えることを特徴とする、態様１１に記載の投影又は逆投影方法。
《態様１３》
前記グレージングが反射で動作する投影スクリーンとして使用され、すなわち前記見物人及び前記プロジェクタが投影スクリーンとして使用されるグレージングと同じ側に位置することを特徴とする、態様１〜１２のいずれか一つに記載の投影方法。
《態様１４》
２つの主要外面（１０、２０）を備えるグレージングであって、
２つの滑らかな主要外面（２Ａ、４Ａ）を有する少なくとも１つの透明層状素子（１）と、
少なくとも１つの可変散乱系であって、好ましくは電気的に制御可能である可変散乱系とを備え、
前記透明層状素子（１）が、
前記層状素子の２つの主要外面（２Ａ、４Ａ）を形成し且つ透明材料、好ましくは誘電体から構成される、実質的に同じ屈折率（ｎ２、ｎ４）を有する２つの外層（２、４）と、
前記外層の屈折率とは異なる屈折率（ｎ３）を有する透明層、好ましくは誘電体層若しくは金属層である単層によって、又は少なくとも１つの、前記外層の屈折率とは異なる屈折率（ｎ３1、ｎ３2、・・・又はｎ３k）を有する透明層、好ましくは誘電体層若しくは金属層を備える積層体（３1、３2、・・・３k）によって形成される、前記外層の間に挿入される中心層（３）とを備え、
一方が透明で屈折率（ｎ１、ｎ２、ｎ３、ｎ３1、ｎ３2、・・・又はｎ３k）を有し且つもう一方が金属であるか、又は両方が異なる屈折率を有する透明層である、前記層状素子の２つの隣接する層の間の各接触面（Ｓ0、Ｓ1、・・・Ｓk）がテクスチャ加工され、並びに前記各接触面が、一方が透明で屈折率（ｎ１、ｎ２、ｎ３、ｎ３1、ｎ３2、・・・又はｎ３k）を有し且つもう一方が金属であるか、又は両方が異なる屈折率を有する透明層である、２つの隣接する層の間の他のテクスチャ加工接触面に平行であることを特徴とするグレージング。
《態様１５》
層状素子と、
熱成形性又は感圧プラスチックから形成されるインサートと、
２つの電極担持支持体に囲まれた機能性フィルムを備える可変光散乱系であって、前記電極が前記機能性フィルムと直接接触している、可変光散乱系と、
熱成形性又は感圧プラスチックから形成されるインサートと、
板ガラスから形成される透明基板であって、好ましくは少なくとも１つの反射防止コーティングを備える、透明基板、
とを備えることを特徴とする、態様１４に記載のグレージング。
【図１】
0006309946.tif 000008
【図２】
0006309946.tif 000009
【図３】
0006309946.tif 000010
【図４】
0006309946.tif 000011
【図５】
0006309946.tif 000012
【図６】
0006309946.tif 000013
【図７】
0006309946.tif 000014
【図８】
0006309946.tif 000015
【図９】
0006309946.tif 000016